(57)【要約】  体脂肪を減少させることができるウェアラブル装置に係り、該ウェアラブル装置は、第１光を発散させる第１ＬＥＤソースと、第２光を発散させる第２ＬＥＤソースと、振動モータと、動作制御信号を解釈し、該解釈の結果により、第１制御信号及び第２制御信号を生成するマイクロプロセッサと、第１ＬＥＤソース、第２ＬＥＤソース、振動モータ及びマイクロプロセッサに動作電圧を供給するバッテリを含み、第１ＬＥＤソース及び第２ＬＥＤソースのうち少なくとも一つは、第１制御信号に応答してオンになり、振動モータのうち少なくとも一つは、第２制御信号に応答してオンになり、マイクロプロセッサは、第１ＬＥＤソースの第１オン時間、第２ＬＥＤソースの第２オン時間、及び振動モータの第３オン時間を累積して記録する。
2019510525.tif 000002
【特許請求の範囲】
【請求項１】
第１波長を有する第１光を発散させる第１ＬＥＤソースと、
第２波長を有する第２光を発散させる第２ＬＥＤソースと、
振動モータと、
動作制御信号を解釈し、該解釈の結果により、第１制御信号及び第２制御信号を生成するマイクロプロセッサと、
前記第１ＬＥＤソース、前記第２ＬＥＤソース、前記振動モータ及び前記マイクロプロセッサに動作電圧を供給するバッテリと、
を含み、
前記第１ＬＥＤソース及び前記第２ＬＥＤソースのうち少なくとも一つは、前記第１制御信号に応答してオン（on）になり、
前記振動モータのうち少なくとも一つは、前記第２制御信号に応答してオンになり、
前記マイクロプロセッサは、前記第１ＬＥＤソースの第１オン時間、前記第２ＬＥＤソースの第２オン時間、及び前記振動モータの第３オン時間を累積して記録する
ウェアラブル装置。
【請求項２】
前記ウェアラブル装置は、動作モードに係わる情報を保存するメモリ装置をさらに含み、
前記マイクロプロセッサは、
前記メモリ装置に保存された前記動作モードのうちいずれか一つを、前記動作制御信号を利用して選択し、選択された動作モードにより、前記第１制御信号及び前記第２制御信号を生成する
ことを特徴とする請求項１に記載のウェアラブル装置。
【請求項３】
前記マイクロプロセッサは、前記ウェアラブル装置の動作時間、前記第１オン時間、前記第２オン時間、及び前記第３オン時間を累積して記録するファームウェアを実行する
ことを特徴とする請求項１に記載のウェアラブル装置。
【請求項４】
前記ウェアラブル装置は、前記マイクロプロセッサに連結された無線送受信器をさらに含み、
前記マイクロプロセッサは、
前記無線送受信器から伝送された状態要請信号に応答し、前記ウェアラブル装置の動作時間、累積された前記第１オン時間、累積された前記第２オン時間、及び累積された前記第３オン時間のうち少なくとも一つを含む状態情報を、前記無線送受信器を介して、モバイル装置に伝送し、
前記状態要請信号は、前記モバイル装置から伝送された
ことを特徴とする請求項１に記載のウェアラブル装置。
【請求項５】
前記ウェアラブル装置は、
前記マイクロプロセッサと連結された入力装置と、
前記ウェアラブル装置とペアリングされたモバイル装置と無線通信可能であり、前記マイクロプロセッサと連結された無線送受信器と、をさらに含み、
前記動作制御信号は、前記入力装置及び前記無線送受信器のうちいずれか一つから出力された
ことを特徴とする請求項１に記載のウェアラブル装置。
【請求項６】
前記ウェアラブル装置は、前記ウェアラブル装置を腰に着用したユーザの体脂肪を測定するための体脂肪センサをさらに含み、
前記マイクロプロセッサは、
前記モバイル装置から出力された体脂肪測定信号を、前記無線送受信器を介して受信し、前記体脂肪測定信号に応答し、前記体脂肪センサをイネーブルさせ、前記体脂肪センサから伝送された測定信号を利用し、前記ユーザの前記体脂肪を測定し、該測定の結果に対応する体脂肪データを、前記無線送受信器を介して、前記モバイル装置に伝送する
ことを特徴とする請求項５に記載のウェアラブル装置。
【請求項７】
前記ウェアラブル装置は、前記ウェアラブル装置を腰に着用したユーザの動きを測定するための動きセンサをさらに含み、
前記マイクロプロセッサは、
前記モバイル装置から出力された動き測定信号を、前記無線送受信器を介して受信し、前記動き測定信号に応答し、前記動いたセンサをイネーブルさせ、前記動きセンサから伝送された測定信号を利用し、前記ユーザの前記動きを測定し、該測定の結果に対応する動きデータを、前記無線送受信器を介して、前記モバイル装置に伝送する
ことを特徴とする請求項６に記載のウェアラブル装置。
【請求項８】
前記入力装置は、第１ユーザインターフェースと第２ユーザインターフェースを含み、
前記動作制御信号が前記第１ユーザインターフェースを介して入力された第１動作制御信号であるとき、前記第１ＬＥＤソース及び前記第２ＬＥＤソースのうち前記第１制御信号に応答してオンになるＬＥＤソースの個数は、前記動作制御信号が前記第２ユーザインターフェースを介して入力された第２動作制御信号であるとき、前記第１ＬＥＤソース及び前記第２ＬＥＤソースのうち前記第１制御信号に応答してオンになるＬＥＤソースの個数より多く、
前記動作制御信号が、前記第１ユーザインターフェースを介して入力された第３動作制御信号であるとき、前記振動モータのうち、前記第２制御信号に応答してオンになる振動モータの個数は、前記動作制御信号が、前記第２ユーザインターフェースを介して入力された第４動作制御信号であるとき、前記振動モータのうち、前記第２制御信号に応答してオンになる振動モータの個数より多い
ことを特徴とする請求項５に記載のウェアラブル装置。
【請求項９】
前記マイクロプロセッサは、前記ウェアラブル装置のパワーオンを感知し、感知の結果により、前記ウェアラブル装置の動作時間をカウントし、カウント値が基準値に達すれば、前記ウェアラブル装置を自動的にパワーオフにする
ことを特徴とする請求項１に記載のウェアラブル装置。
【請求項１０】
前記第１ＬＥＤソースは、赤外線ＬＥＤランプを含み、
前記第２ＬＥＤソースは、近赤外線ＬＥＤランプを含む
ことを特徴とする請求項１に記載のウェアラブル装置。
【請求項１１】
ユーザの体脂肪を測定するために、前記ユーザの腰に着用することができる構造を有するウェアラブル装置において、
第１波長を有する第１光を、前記腰に発散させる第１ＬＥＤソースと、
第２波長を有する第２光を、前記腰に発散させる第２ＬＥＤソースと、
前記腰に振動を提供するための振動モータと、
前記ユーザにユーザインターフェースを提供する入力装置と、
モバイル装置と無線通信する無線送受信器と、
前記体脂肪を測定するための体脂肪センサと、
前記入力装置及び前記無線送受信器のうちいずれか一つを介して入力された動作制御信号を解釈し、該解釈の結果により、第１制御信号及び第２制御信号を生成するマイクロプロセッサと、
を含み、
前記第１ＬＥＤソース及び前記第２ＬＥＤソースのうち少なくとも一つは、前記第１制御信号に応答してオン（on）になり、
前記振動モータのうち少なくとも一つは、前記第２制御信号に応答してオンになり、
前記マイクロプロセッサは、前記第１ＬＥＤソースの第１オン時間、前記第２ＬＥＤソースの第２オン時間、及び前記振動モータの第３オン時間を累積して記録する
ウェアラブル装置。
【請求項１２】
前記ウェアラブル装置は、動作モードに係わる情報を保存するメモリ装置をさらに含み、
前記マイクロプロセッサは、
前記メモリ装置に保存された前記動作モードのうちいずれか一つを、前記動作制御信号を利用して選択し、選択された動作モードにより、前記第１制御信号及び前記第２制御信号を生成する
ことを特徴とする請求項１１に記載のウェアラブル装置。
【請求項１３】
前記マイクロプロセッサは、
前記無線送受信器から伝送された状態要請信号に応答し、前記ウェアラブル装置の動作時間、累積された前記第１オン時間、累積された前記第２オン時間、及び累積された前記第３オン時間のうち少なくとも一つを含む状態情報を、前記無線送受信器を介して、前記モバイル装置に伝送し、
前記状態要請信号は、前記モバイル装置から伝送された
ことを特徴とする請求項１２に記載のウェアラブル装置。
【請求項１４】
前記マイクロプロセッサは、
前記モバイル装置から出力された体脂肪測定信号を、前記無線送受信器を介して受信し、前記体脂肪測定信号に応答し、前記体脂肪センサをイネーブルさせ、前記体脂肪センサから伝送された測定信号を利用し、前記ユーザの前記体脂肪を測定し、該測定の結果に対応する体脂肪データを、前記無線送受信器を介して、前記モバイル装置に伝送する
ことを特徴とする請求項１３に記載のウェアラブル装置。
【請求項１５】
前記ウェアラブル装置は、前記ユーザの動きを測定するための動きセンサをさらに含み、
前記マイクロプロセッサは、
前記モバイル装置から出力された動き測定信号を、前記無線送受信器を介して受信し、前記動き測定信号に応答し、前記動いたセンサをイネーブルさせ、前記動きセンサから伝送された測定信号を利用し、前記ユーザの前記動きを測定し、該測定の結果に対応する動きデータを、前記無線送受信器を介して、前記モバイル装置に伝送する
ことを特徴とする請求項１３に記載のウェアラブル装置。
【請求項１６】
ユーザの体脂肪を測定するために、前記ユーザの腰に着用することができる構造を有するウェアラブル装置と、前記ウェアラブル装置と無線通信することができるモバイル装置と、を利用し、前記ウェアラブル装置の動作を制御する方法において、
前記ウェアラブル装置に含まれたマイクロプロセッサが、前記ウェアラブル装置に含まれた入力装置と、前記ウェアラブル装置に含まれた無線送受信器とのうちいずれか一つを介して入力された動作制御信号を受信する段階と、
前記マイクロプロセッサが、前記ウェアラブル装置の動作モードに係わる情報を保存するメモリ装置から、前記動作モードのうちいずれか一つを、前記動作制御信号を利用して選択し、選択された動作モードにより、第１制御信号及び第２制御信号を生成する段階と、
前記ウェアラブル装置に含まれた第１ＬＥＤソース及び第２ＬＥＤソースのうち少なくとも一つが、前記第１制御信号に応答してオンになり、前記ウェアラブル装置に含まれた振動モータのうち少なくとも一つが、前記第２制御信号に応答してオンになる段階と、
前記マイクロプロセッサが、前記第１ＬＥＤソースの第１オン時間、前記第２ＬＥＤソースの第２オン時間、及び前記振動モータの第３オン時間を累積して記録する段階と、
前記マイクロプロセッサが、無線通信装置から伝送された状態要請信号を、前記無線送受信器を介して受信する段階と、
前記マイクロプロセッサが、前記状態要請信号に応答し、前記ウェアラブル装置の動作時間、累積された前記第１オン時間、累積された前記第２オン時間、及び累積された前記第３オン時間のうち少なくとも一つを、前記無線送受信器を介して、前記モバイル装置に伝送する段階と、
を含むウェアラブル装置の動作を制御する方法。
【請求項１７】
前記マイクロプロセッサが、前記モバイル装置から出力された体脂肪測定信号を、前記無線送受信器を介して受信する段階と、
前記マイクロプロセッサが、前記体脂肪測定信号に応答し、前記ウェアラブル装置に含まれた体脂肪センサをイネーブルさせる段階と、
前記マイクロプロセッサが、前記体脂肪センサから伝送された測定信号を利用し、前記ユーザの前記体脂肪を測定し、該測定の結果に対応する体脂肪データを、前記無線送受信器を介して、前記モバイル装置に伝送する段階と、
をさらに含む
ことを特徴とする請求項１６に記載のウェアラブル装置の動作を制御する方法。
【請求項１８】
前記マイクロプロセッサが、前記モバイル装置から伝送された動き測定信号を、前記無線送受信器を介して受信する段階と、
前記マイクロプロセッサが、前記動き測定信号に応答し、前記ウェアラブル装置に含まれた動いたセンサをイネーブルさせる段階と、
前記マイクロプロセッサが、前記動きセンサから伝送された測定信号を利用し、前記ユーザの前記動きを測定し、該測定の結果に対応する動きデータを、前記無線送受信器を介して、前記モバイル装置に伝送する段階と、
をさらに含む
ことを特徴とする請求項１６に記載のウェアラブル装置の動作を制御する方法。
【発明の詳細な説明】
【技術分野】
【０００１】
本発明の概念による実施形態は、体脂肪を減少させることができるウェアラブル装置に係り、特に、ＬＥＤを利用して体脂肪を減少させ、前記体脂肪を測定することができるウェアラブル装置、及びモバイル装置を利用し、前記ウェアラブル装置を制御することができる方法に関する。
【背景技術】
【０００２】
腹部肥満は、皮下脂肪による肥満とは異なり、腹部の内臓に脂肪が過度に蓄積された場合を意味する。人体の腹部にある脂肪は、人体の他のところに分布している脂肪に比べ、肝臓に近接しているために、人体に影響を及ぼす可能性が非常に高い。
【０００３】
腹部肥満の最大の原因は、過度な飲食物（例えば、熱量）を摂取することである。特に、脂肪（または、脂肪成分）の過剰摂取が腹部肥満の主原因である。人が炭水化物を過剰摂取することになれば、前記炭水化物は、脂肪に転換されるので、前記炭水化物も、腹部肥満の原因になる。
【０００４】
腹部未満の他の原因は、運動不足である。前記運動不足は、筋肉を弱化させ、腹部に脂肪を蓄積させる原因になる。運動によって筋肉量が増えれば、人体の基礎代謝量が増加し、脂肪が減少する。しかし、絶え間ない運動を行うことは、思いのほか容易ではない。
【０００５】
腹部肥満を減らすために、振動ベルトが登場したが、ユーザがじっといて、前記振動ベルトだけが振動するとき、前記ユーザは、熱量をほとんど消費しないので、前記振動ベルトを利用して腹部肥満を減らす効果は小さい。
【発明の概要】
【発明が解決しようとする課題】
【０００６】
本発明がなすべき技術的な課題は、ＬＥＤから出力される光を利用し、ユーザの腹部肥満の原因になる体脂肪を効果的に減少させ、振動モータを利用し、前記有酸素運動の効果を前記ユーザに提供することができるウェアラブル装置、及びモバイル装置を利用し、前記ウェアラブル装置を制御することができる方法を提供することである。
【課題を解決するための手段】
【０００７】
本発明の実施形態によるウェアラブル装置は、第１波長を有する第１光を発散させる第１ＬＥＤソースと、第２波長を有する第２光を発散させる第２ＬＥＤソースと、振動モータと、動作制御信号を解釈し、該解釈の結果により、第１制御信号及び第２制御信号を生成するマイクロプロセッサと、前記第１ＬＥＤソース、前記第２ＬＥＤソース、前記振動モータ及び前記マイクロプロセッサに動作電圧を供給するバッテリと、を含み、前記第１ＬＥＤソース及び前記第２ＬＥＤソースのうち少なくとも一つは、前記第１制御信号に応答してオン（on）になり、前記振動モータのうち少なくとも一つは、前記第２制御信号に応答してオン（on）になり、前記マイクロプロセッサは、前記第１ＬＥＤソースの第１オン時間、前記第２ＬＥＤソースの第２オン時間、及び前記振動モータの第３オン時間を累積して記録する。
【０００８】
本発明の実施形態により、ユーザの体脂肪を測定するために、前記ユーザの腰に着用することができる構造を有するウェアラブル装置は、第１波長を有する第１光を、前記腰に発散させる第１ＬＥＤソースと、第２波長を有する第２光を、前記腰に発散させる第２ＬＥＤソースと、前記腰に振動を提供するための振動モータと、前記ユーザにユーザインターフェースを提供する入力装置と、モバイル装置と無線通信する無線送受信器と、前記体脂肪を測定するための体脂肪センサと、前記入力装置及び前記無線送受信器のうちいずれか一つを介して入力された動作制御信号を解釈し、該解釈の結果により、第１制御信号及び第２制御信号を生成するマイクロプロセッサと、を含み、前記第１ＬＥＤソース及び前記第２ＬＥＤソースのうち少なくとも一つは、前記第１制御信号に応答してオン（on）になり、前記振動モータのうち少なくとも一つは、前記第２制御信号に応答してオン（on）になり、前記マイクロプロセッサは、前記第１ＬＥＤソースの第１オン時間、前記第２ＬＥＤソースの第２オン時間、及び前記振動モータの第３オン時間を累積して記録する。
【０００９】
本発明の実施形態により、ユーザの体脂肪を測定するために、前記ユーザの腰に着用することができる構造を有するウェアラブル装置と、前記ウェアラブル装置と無線通信することができるモバイル装置と、を利用し、前記ウェアラブル装置の動作を制御する方法は、前記ウェアラブル装置に含まれたマイクロプロセッサが、前記ウェアラブル装置の入力装置、及び前記ウェアラブル装置の無線送受信器のうちいずれか一つを介して入力された動作制御信号を受信する段階と、前記マイクロプロセッサが、前記ウェアラブル装置の動作モードに係わる情報を保存するメモリ装置から、前記動作モードのうちいずれか一つを、前記動作制御信号を利用して選択し、選択された動作モードにより、第１制御信号及び第２制御信号を生成する段階と、前記ウェアラブル装置の第１ＬＥＤソース及び第２ＬＥＤソースのうち少なくとも一つが、前記第１制御信号に応答してオンになり、前記ウェアラブル装置の振動モータのうち少なくとも一つが、前記第２制御信号に応答してオンになる段階と、前記マイクロプロセッサが、前記第１ＬＥＤソースの第１オン時間、前記第２ＬＥＤソースの第２オン時間、及び前記振動モータの第３オン時間を累積して記録する段階と、前記マイクロプロセッサが、前記無線通信装置から伝送された状態要請信号を、前記無線送受信器を介して受信する段階と、前記マイクロプロセッサが、前記状態要請信号に応答し、前記ウェアラブル装置の動作時間、累積された前記第１オン時間、累積された前記第２オン時間、及び累積された前記第３オン時間のうち少なくとも一つを、前記無線送受信器を介して、前記モバイル装置に伝送する段階と、を含む。
【発明の効果】
【００１０】
本発明の実施形態によるウェアラブル装置は、前記ウェアラブル装置に含まれたＬＥＤを利用して体脂肪を減少させ、前記体脂肪を測定することができる効果がある。
【００１１】
本発明の実施形態によるウェアラブル装置は、ユーザの腹部にＬＥＤ光を照射し、トリグリセライドを、脂肪酸とグリセロールとに分解すると共に、振動モータを利用し、前記腹部に振動を加え、分解された脂肪酸及び／またはグリセロールを早く燃焼させることができる。従って、前記ウェアラブル装置は、直接に腹部脂肪を減少させることができるので、ユーザが有酸素運動をせずとも、前記有酸素運動をするような効果、すなわち、ダイエット効果を極大化させることができる。
【００１２】
ユーザは、モバイル装置を利用し、前記ウェアラブル装置を制御することができるので、ユーザが前記ウェアラブル装置を使用する便利さの増大する効果がある。
【図面の簡単な説明】
【００１３】
【図１】本発明の実施形態によるウェアラブル装置の斜視図である。
【図２】図１に図示されたウェアラブル装置の平面図である。
【図３】図１に図示されたウェアラブル装置と、前記ウェアラブル装置を制御するモバイル装置とを含むシステムを概念的に示す図面である。
【図４】図１及び図２に図示されたウェアラブル装置の内部に具現される電子システムの概略的なブロック図である。
【図５】図示されたメモリ装置に保存された動作モードを示す情報を例示的に示す図面である。
【図６】図４に図示された制御信号それぞれのタイミング図を示す図面である。
【図７】図４に図示されたマイクロプロセッサにおいて累積されるオン時間を例示的に示す図面である。
【図８】図３に図示されたモバイル装置で実行されるアプリケーションのグラフィックユーザインターフェースを例示的に示す図面である。
【図９】図３に図示されたモバイル装置で実行されるアプリケーションによって提供される体脂肪の変化を示すグラフィックユーザインターフェースを例示的に示す図面である。
【図１０】図４に図示されたウェアラブル装置の動作について説明するフローチャートである。
【図１１】図３に図示されたモバイル装置で実行されるアプリケーションを利用し、ウェアラブル装置から状態情報を獲得する過程を示すフローチャートである。
【図１２】図３に図示されたモバイル装置で実行されるアプリケーションを利用し、ウェアラブル装置を制御する過程を示すフローチャートである。
【図１３】図３に図示されたモバイル装置で実行されるアプリケーションを利用し、ウェアラブル装置を制御する過程を示すフローチャートである。
【図１４】ユーザの腰部分に着用された本発明の実施形態によるウェアラブル装置を示す図面である。
【図１５】ユーザの腰部分に着用された本発明の実施形態によるウェアラブル装置を示す図面である。
【図１６】図１４及び図１５に図示されたウェアラブル装置内部に含まれた電子システムの一実施形態を示すブロック図である。
【図１７】図１６に図示されたコントローラの動作について説明する概念図である。
【図１８】図１４及び図１５に図示されたウェアラブル装置内部に含まれた電子システムの他の実施形態を示すブロック図を示す図面である。
【図１９】図１８に図示されたコントローラの動作について説明する概念図である。
【発明を実施するための形態】
【００１４】
本明細書に開示されている本発明の概念による実施形態について、特定の構造的または機能的な説明は、ただ本発明の概念による実施形態について説明するための目的に例示されたものであり、本発明の概念による実施形態は、多様な形態で実施され、本明細書に説明された実施形態に限定されるものではない。
【００１５】
本発明の概念による実施形態は、多様な変更を加えることができ、さまざまな形態を有することができるので、該実施形態を図面に例示し、本明細書で詳細に説明する。しかし、それらは、本発明の概念による実施形態を、特定の開示形態について限定するものではなく、本発明の思想及び技術範囲に含まれる全ての変更、均等物または代替物を含む。
【００１６】
第１または第２のような用語は、多様な構成要素についても説明に使用されるが、前記構成要素は、前記用語によって限定されるものではない。前記用語は、１つの構成要素を、他の構成要素から区別する目的のみに使用され、例えば、本発明の概念による権利範囲から外れないまま、第１構成要素は、第２構成要素と命名され、類似して、第２構成要素は、第１構成要素とも命名される。
【００１７】
ある構成要素が他の構成要素に「連結されて」いたり「接続されて」いたりすると言及されたときには、その他の構成要素に直接に連結されているか、あるいは接続されてもいるが、中間に、他の構成要素が存在することもできると理解されなければならないのである。一方、ある構成要素が他の構成要素に「直接連結されて」いるか、あるいは「直接接続されて」いると言及されたときには、中間に他の構成要素が存在しないと理解されなければならないのである。構成要素との関係について説明する他の表現、すなわち、「〜間に」及び「すぐ〜間に」、または「〜に隣接する」と「〜に直接隣接する」なども、同様に解釈されなければならない。
【００１８】
本明細書で使用した用語は、ただ特定の実施形態についての説明に使用されたものであり、本発明を限定する意図ではない。単数の表現は、文脈上明白に異なって意味しない限り、複数の表現を含む。本明細書において、「含む」または「有する」というような用語は、本明細書に記載された特徴、数、段階、動作、構成要素、部分品、またはそれらの組み合わせが存在することを指定するものであり、１またはそれ以上の他の特徴、数、段階、動作、構成要素、部分品、またはそれらの組み合わせの存在または付加の可能性をあらかじめ排除するものではないと理解されなければならない。
【００１９】
取り立てて定義されない限り、技術的であったり科学的であったりする用語を含み、そこで使用される全ての用語は、本発明が属する技術分野で当業者により、一般的に理解されるところと同一意味を示す。一般的に使用される事前に定義されているような用語は、関連技術の文脈上有する意味と一致する意味を有すると解釈されなければならないし、本明細書で明白に定義しない限り、理想的であったり、過度に形式的であったりする意味に解釈されるものではない
以下、本明細書に添付された図面を参照し、本発明の実施形態について詳細に説明する。
【００２０】
図１は、本発明の実施形態によるウェアラブル装置の斜視図であり、図２は、図１に図示されたウェアラブル装置の平面図であり、図３は、図１に図示されたウェアラブル装置と、前記ウェアラブル装置を制御するモバイル装置とを含むシステムを概念的に示す。
【００２１】
図１から図３を参照すれば、本明細書で説明されるウェアラブル装置１００は、ユーザ１０の腰（または、腰部分）に着用され、ユーザ１０の体脂肪（特に、腹部脂肪）を分解することができる装置であり、ダイエットベルト（diet belt）またはウェアラブルライトセラピー（wearable light therapy）装置を意味する。ライトセラピーは、可視光において、特定のカラーに対応する波長を利用し、健康、美容、老化防止、皮膚管理、肥満減少及び／または疾病予防などに使用することができる技術を意味する。
【００２２】
ウェアラブル装置１００の本体は、弾性がある物質から具現される。ウェアラブル装置１００の前面１０１には、ウェアラブル装置１００の動作を制御することができるユーザインターフェース１１０が配置され、ユーザインターフェース１１０は、複数のボタン２１１，２１３及び２１５を含んでもよい。
【００２３】
例えば、ウェアラブル装置１００を自分の腰に作用したユーザ１０は、ボタン２１１，２１５それぞれを操作し（または、押し）、パワーオン（power-on）、パワーオフ（power-off）及び動作モードを変更することができる。ボタン２１３は、ウェアラブル装置１００のパワーオンとパワーオフとを制御または操作することができるボタンである。たとえ図１においては、３個のボタン２１１，２１３及び２１５が例示的に図示されているにしても、それらは、説明の便宜のために図示されたものであり、ウェアラブル装置１００の動作に係わるボタンの個数と、前記ボタンの配置位置は、設計仕様によって多様に変更されるのである。
【００２４】
モバイル装置３００は、ウェアラブル装置１００と無線通信することができ、前記無線通信を介して、ウェアラブル装置１００の動作を制御することができる。モバイル装置３００は、スマートフォン、タブレットＰＣ（personal computer）、ウェアラブルコンピュータ、モバイルインターネット装置（ＭＩＤ：mobile internet device）、事物インターネット（ＩｏＴ：internet of things）装置または万物インターネット装置（ＩｏＥ：internet of everything）装置でも具現される。
【００２５】
モバイル装置３００は、ウェアラブル装置１００の動作を制御することができるアプリケーションプログラム（あるいは、アプリケーションまたはアプリ）３２０を実行することができる。モバイル装置３００とウェアラブル装置１００は、ペアリング（pairing）過程を介して、互いにペアリングされる。
【００２６】
ウェアラブル装置１００のユーザ１０は、モバイル装置３００のディスプレイ３１０でディスプレイされるアプリケーション３２０を利用し、ウェアラブル装置１００にウェアラブル装置１００の状態情報を要請したり、ウェアラブル装置１００を利用し、ユーザ１０の体脂肪（特に、腹部周囲の体脂肪）を測定したり、ウェアラブル装置１００を利用し、ユーザ１０の動きを測定したり、ウェアラブル装置１００に配置されたＬＥＤソースそれぞれと、振動モータそれぞれの動作とを制御したりすることができる。
【００２７】
図４は、図１及び図２に図示されたウェアラブル装置の内部に具現される電子システムの概略的なブロック図である。図１から図４までを参照すれば、ウェアラブル装置１００内部に具現される電子システムは、マイクロプロセッサ２００、ボタン２１１，２１３及び２１５を含むユーザインターフェース１１０、入力装置２１０、第１ＬＥＤソース２３０、第２ＬＥＤソース２４０、振動モータ２５１，２５３及び２５５、メモリ装置２６０、無線送受信器２７０、バッテリ２８０、センサ２９１，２９３、動きセンサ２９５及びスイッチＳＷ１ないしＳＷ５を含んでもよい。たとえ図４においては、電子システムが動きセンサ２９５を含むように図示されているにしても、実施形態によっては、動きセンサ２９５は、具現されても具現されなくともよい。
【００２８】
マイクロプロセッサ２００は、ウェアラブル装置１００または電子システム１００の動作を全般的に制御することができるコントローラ、プロセッサまたはＣＰＵ（central processing unit）を意味する。マイクロプロセッサ２００の動作は、各構成要素（２１０，２３０，２４０，２５１，２５３，２５５，２６０，２７０，２８０，２９１及び２９３）の動作と共に説明される。
【００２９】
マイクロプロセッサ２００は、入力装置２１０または無線送受信器２７０から出力された動作制御信号ＯＣＳ１またはＯＣＳ２を受信して解釈し、該解釈の結果により、第１制御信号及び第２制御信号を生成することができる。無線送受信器２７０は、ブルートゥース（Bluetooth）通信技術を利用する送受信器でもあるが、それに限定されるものではない。
【００３０】
ウェアラブル装置１００を腰に着用したユーザ１０は、ユーザインターフェース１１０に含まれたボタン２１１，２１３及び２１５それぞれを利用して、ウェアラブル装置１００のパワーオン、パワーオフ及び／または動作モードを変更することができる。
【００３１】
入力装置２１０は、ボタン２１１，２１３及び２１５それぞれの操作（または、押し）によって生成された動作制御信号ＯＣＳ１をマイクロプロセッサ２００に伝送することができる。入力装置２１０は、受信器の機能を遂行することができる。
【００３２】
第１ＬＥＤソース２３０は、ウェアラブル装置１００の裏面１０２、すなわち、ウェアラブル装置１００を着用したユーザ１００の腰（または、腹部）と対面するように配置され、裏面１０２に具現された孔２３０’を介して、第１波長を有する第１光を、前記腰側に出力することができる。第１ＬＥＤソース２３０は、第１ＬＥＤランプ２３１によっても具現される。例えば、第１ＬＥＤランプ２３１それぞれは、赤外線を発するＬＥＤランプによっても具現される。
【００３３】
第２ＬＥＤソース２４０は、ウェアラブル装置１００の裏面１０２、すなわち、ウェアラブル装置１００を着用したユーザ１００の腰（または、腹部）と対面するように配置され、裏面１０２に具現された孔２４０’を介して、第２波長を有する第２光を、前記腰側に出力することができる。第２ＬＥＤソース２４０は、第２ＬＥＤランプ２４１によっても具現される。例えば、第２ＬＥＤランプ２４１それぞれは、近赤外線（ＮＩＲ：near infrared）を発するＬＥＤランプによっても具現される。前記第１波長の一部と、前記第２波長の一部は、互いに同じでもある。第１ＬＥＤソース２３０それぞれと第２ＬＥＤソース２４０それぞれは、交互に同一間隔にも配置されるが、それに限定されるものではない。
【００３４】
該赤外線及び／または該近赤外線は、ユーザ１００の腰近辺の皮膚を侵透し、皮下脂肪層の脂肪細胞に伝達される。
【００３５】
各ＬＥＤランプ２３１及び／または２４１から出力された光（例えば、赤外線及び／または近赤外線）がユーザ１０の腰（または、腹部）部位に照射されれば、前記光は、脂肪細胞内のミトコンドリアを刺激し、前記ミトコンドリアは、脂肪を分解するエネルギーを生成することができる。かような化学的変化は、トリグリセライド（triglyceride）を、脂肪酸とグリセロールとに分解するリパーゼ（lipase）酵素の分泌を促進することができる。小さく分解された脂肪物質は、脂肪細胞の表面の孔を介して排出され、排出された脂肪物質は、体中のリンパ系を循環していて、自然に減少したり、ユーザ１０の運動によって燃焼される。
【００３６】
各ＬＥＤランプ２３１及び／または２４１を利用し、ユーザ１０の腰（または、腹部）部位に光を照射しながら、ウェアラブル装置１００が、振動モータ２５１，２５３及び２５５のうち少なくとも一つを利用し、前記腰部位に振動（vibration）を加えれば、脂肪細胞の運動性は増大し、小さく分解された脂肪物質は、体中で良好に移動される。従って、前記振動は、有酸素運動を代替し、腹部の脂肪を減少させる効果を生じさせることができる。
【００３７】
図４に図示されているように、第１ＬＥＤランプ２３１と第２ＬＥＤランプ２４１は、交互に配置される。一実施形態により、第１ＬＥＤランプ２３１と第２ＬＥＤランプ２４１とのセンター・ツー・センター間隔は、同一に具現されてもよく、互いに異なるように具現されてもよい。
【００３８】
第１ＬＥＤソース２３０は、活性化された第１ソース制御信号ＣＴＲ１−１に応答してターンオンされる。第２ＬＥＤソース２４０は、活性化された第２ソース制御信号ＣＴＲ１−２に応答してターンオンされる。ここで、第１制御信号は、ソース制御信号ＣＴＲ１−１，ＣＴＲ１−２を総称する。従って、第１ＬＥＤソース２３０及び第２ＬＥＤソース２４０のうち少なくとも一つは、第１制御信号ＣＴＲ１−１，ＣＴＲ１−２に応答してターンオンされる。
【００３９】
例えば、第１ソース制御信号ＣＴＲ１−１が活性化されれば、第１スイッチＳＷ１は、ソース動作電圧ＶＤＤＳを第１ＬＥＤソース２３０に供給するので、第１ＬＥＤソース２３０それぞれは、ソース動作電圧ＶＤＤＳを利用して発光することができる。第２ソース制御信号ＣＴＲ１−２が活性化されれば、第２スイッチＳＷ２は、ソース動作電圧ＶＤＤＳを第２ＬＥＤソース２４０に供給するので、第１ＬＥＤソース２４０それぞれは、ソース動作電圧ＶＤＤＳを利用して発光することができる。
【００４０】
マイクロコントローラ２００は、入力装置２１０または無線送受信器２７０から出力された動作制御信号ＯＣＳ１またはＯＣＳ２を受信して解釈し、該解釈の結果により、ソース制御信号ＣＴＲ１−１，ＣＴＲ１−２それぞれの活性化タイミング及び非活性化タイミングを制御することができる。
【００４１】
微細振動子の機能を遂行する振動モータ２５１，２５５は、活性化された第１モータ制御信号ＣＴＲ２−１に応答して動作（例えば、振動）することができる。振動モータ２５３は、活性化された第２モータ制御信号ＣＴＲ２−２に応答して動作（例えば、振動）することができる。第２制御信号は、モータ制御信号ＣＴＲ２−１，ＣＴＲ２−２を総称する。従って、振動モータ２５１，２５５のうち少なくとも一つは、第２制御信号ＣＴＲ２−１，ＣＴＲ２−２に応答し、イネーブルまたはディセーブルされる。
【００４２】
例えば、第１モータ制御信号ＣＴＲ２−１が活性化されれば、第３スイッチＳＷ３は、モータ動作電圧ＶＤＤＭを第１振動モータ２５１に供給するので、第１振動モータ２５１は、イネーブルされるか、あるいは振動することができる。また、第１モータ制御信号ＣＴＲ２−１が活性化されれば、第４スイッチＳＷ４は、モータ動作電圧ＶＤＤＭを第３振動モータ２５５に供給するので、第３振動モータ２５５は、イネーブルされるか、あるいは振動することができる。第２モータ制御信号ＣＴＲ２−２が活性化されれば、第５スイッチＳＷ５は、モータ動作電圧ＶＤＤＭを第２振動モータ２５３に供給するので、第２振動モータ２５３は、イネーブルされるか、あるいは振動することができる。
【００４３】
たとえ図４においては、２個の振動モータ２５１，２５５が活性化された第１モータ制御信号ＣＴＲ２−１に応答して動作し、１つの振動モータ２５３が活性化された第２モータ制御信号ＣＴＲ２−２に応答して動作するように図示されているにしても、ウェアラブル装置１００内部に配置される振動モータの個数と、前記振動モータの動作順序は、実施形態によっては、多様に変更されもする。
【００４４】
マイクロコントローラ２００は、入力装置２１０または無線送受信器２７０から出力された動作制御信号ＯＣＳ１またはＯＣＳ２を受信して解釈し、該解釈の結果により、モータ制御信号ＣＴＲ２−１，ＣＴＲ２−２それぞれの活性化タイミング及び非活性化タイミングを制御することができる。
【００４５】
マイクロコントローラ２００は、ファームウェア（または、ソフトウェア）を実行することができる。前記ファームウェア（または、ソフトウェア）は、ウェアラブル装置１００の動作が始まるとき、ウェアラブル装置１００の動作時間をカウントする機能、カウントの結果に対応するカウント値と基準値とを比較する機能、及び前記カウント値が前記基準値と同じであるとき、ウェアラブル装置１００に供給されるパワーを自動的にオフにする機能を遂行することができる。例えば、前記ファームウェア（または、ソフトウェア）は、バッテリ２８０の電力供給機能を制御することができる。
【００４６】
パワーがマイクロコントローラ２００に供給される間、マイクロコントローラ２００は、第１ＬＥＤソース２３０のターンオン時間（以下、「第１オン時間」という）、第２ＬＥＤソース２４０のターンオン時間（以下、「第２オン時間」という）、及び／または振動モータ２５１，２５３及び２５５のターンオン時間（以下、「第３オン時間」という）を累積して記録することができる。例えば、マイクロコントローラ２００で実行されるファームウェア（または、ソフトウェア）は、前記第１オン時間、前記第２オン時間及び／または前記第３オン時間を累積して記録することができる。
【００４７】
メモリ装置２６０は、ウェアラブル装置１００の動作モードに係わる情報を保存することができる。前記情報は、テーブル（table）形態でもメモリ装置２６０に保存される。メモリ装置２６０は、ＲＯＭ（read-only memory）のような揮発性メモリ装置でも具現される。
【００４８】
マイクロプロセッサ２００は、入力装置２１０または無線送受信器２７０から出力された動作制御信号ＯＣＳ１またはＯＣＳ２を受信し、動作制御信号ＯＣＳ１またはＯＣＳ２を分析（または、利用）し、図５に例示的に図示されているように、メモリ装置２６０に保存された動作モードＭＯＤＥ１ないしＭＯＤＥＸのうちいずれか一つを選択し、選択された動作モードにより、第１制御信号ＣＴＲ１−１，ＣＴＲ１−２及び第２制御信号ＣＴＲ２−１，ＣＴＲ２−２を生成することができる。すなわち、マイクロプロセッサ２００は、動作制御信号ＯＣＳ１またはＯＣＳ２に基づいて選択された動作モードにより、各制御信号ＣＴＲ１−１，ＣＴＲ１−２，ＣＴＲ２−１及びＣＴＲ２−２の活性化タイミング及び非活性化タイミングを制御することができる。
【００４９】
無線送受信器２７０は、マイクロプロセッサ２００とモバイル装置３００との間で送受信する信号を制御（または、インタフェーシング）することができる。
【００５０】
マイクロプロセッサ２００は、無線送受信器２７０から出力された信号に応答し、ウェアラブル装置１００のパワーオン、パワーオフ及び／または動作モードを制御することができる。前記信号は、モバイル装置３００から出力された信号（または、命令）に対応する信号である。
【００５１】
例えば、モバイル装置３００が、アプリケーション３２０によって生成された状態要請信号を出力すれば、マイクロプロセッサ２００は、無線送受信器２７０から伝送された前記状態要請信号に応答し、マイクロプロセッサ２００またはマイクロプロセッサ２００によって実行されるファームウェアによって累積された第１オン時間、累積された第２オン時間、及び累積された第３オン時間のうち少なくとも一つを含む状態情報を無線送受信器２７０を介して、ウェアラブル装置３００に伝送することができる。
【００５２】
バッテリ２８０は、動作電圧ＰＷ１，ＰＷ２，ＶＤＤＭ及びＶＤＤＳを出力することができる。動作電圧ＰＷ１は、マイクロプロセッサ２００に供給され、動作電圧ＰＷ２は、メモリ装置２６０に供給され、モータ動作電圧ＶＤＤＭは、各スイッチＳＷ３，ＳＷ４及びＳＷ５を介して、各振動モータ２５１，２５３及び２５５に供給され、ソース動作電圧ＶＤＤＳは、各スイッチＳＷ１，ＳＷ２を介して、各ＬＥＤソース２３０，２４０に供給される。バッテリ２８０は、構成要素２１０，２７０，２９１，２９３及び２９５のうち少なくとも一つに、少なくとも１つの動作電圧をさらに供給することができる。
【００５３】
体脂肪センサ２９１，２９３は、ウェアラブル装置１００を腰に着用したユーザ１０の体脂肪（例えば、腹部肥満の原因になる脂肪）を測定するためのセンサを意味し、体脂肪センサ２９１，２９３それぞれは、電極を含んでもよい。
【００５４】
例えば、モバイル装置３００がアプリケーション３２０によって生成された体脂肪測定信号を出力すれば、マイクロプロセッサ２００は、前記体脂肪測定信号を無線送受信器２７０を介して受信し、前記体脂肪測定信号に応答し、体脂肪センサ２９１，２９３をイネーブルさせ、体脂肪センサ２９１，２９３から伝送された測定信号を利用し、ユーザ１０の前記体脂肪を測定し、該測定の結果に対応する体脂肪データを、無線送受信器２７０を介して、モバイル装置３００に伝送することができる。
【００５５】
ウェアラブル装置１００が少なくとも１つの動きセンサ２９５をさらに含むとき、少なくとも１つの動きセンサ２９５は、ウェアラブル装置１００を腰に着用したユーザ１０の動きを測定することができる。
【００５６】
例えば、モバイル装置３００が、アプリケーション３２０によって生成された動き測定信号を出力すれば、マイクロプロセッサ２００は、前記動き測定信号を無線送受信器２７０を介して受信し、前記動き測定信号に応答して動いたセンサ２９５をイネーブルさせ、動きセンサ２９５から伝送された測定信号を利用し、ユーザ１０の前記動き（例えば、ユーザ１０の動作及び／または運動量）を測定し、該測定の結果に対応する動きデータを、無線送受信器２７０を介して、モバイル装置３００に伝送することができる。
【００５７】
図５は図４に図示されたメモリ装置に保存された動作モードを示す情報を例示的に示す。図１から図５を参照すれば、メモリ装置２６０は、各動作モードＭＯＤＥ１ないしＭＯＤＥＸ（Ｘは、１０以上の自然数）の実行に係わる情報を保存することができる。
【００５８】
動作制御信号ＯＣＳ１またはＯＣＳ２によって選択された動作モードが、第１動作モードＭＯＤＥ１であるとき、マイクロプロセッサ２００は、第１ＬＥＤソース２３０をターンオンするための第１ソース制御信号ＣＴＲ１−１のみを活性化させる。動作制御信号ＯＣＳ１またはＯＣＳ２によって選択された動作モードが、第３動作モードＭＯＤＥ３であるとき、マイクロプロセッサ２００は、第１ＬＥＤソース２３０をターンオンするための第１ソース制御信号ＣＴＲ１−１と、第２ＬＥＤソース２４０をターンオンするための第２ソース制御信号ＣＴＲ１−２とをいずれも活性化させる。
【００５９】
動作制御信号ＯＣＳ１またはＯＣＳ２によって選択された動作モードが、第７動作モードＭＯＤＥ７であるとき、マイクロプロセッサ２００は、各制御信号ＣＴＲ１−１，ＣＴＲ１−２，ＣＴＲ２−１及びＣＴＲ２−２をいずれも活性化させる。
【００６０】
第１動作モードＭＯＤＥ１は、第１ＬＥＤソース２３０を動作させる動作モードであり、第２動作モードＭＯＤＥ２は、第２ＬＥＤソース２４０を動作させる動作モードであり、第３動作モードＭＯＤＥ３は、第１ＬＥＤソース２３０及び第２ＬＥＤソース２４０をいずれも動作させる動作モードであり、第７動作モードＭＯＤＥ７は、第１ＬＥＤソース２３０、第２ＬＥＤソース２４０、並びに電動モータ２５１，２５３及び２５５を動作させる動作モードである。
【００６１】
前述のように、マイクロプロセッサ２００またはマイクロプロセッサ２００によって実行されるファームウェアは、入力装置２１０または無線送受信器２７０を介して受信された動作制御信号ＯＣＳ１またはＯＣＳ２に対応する動作モードを、メモリ装置２６０から検索し、検索の結果に対応する各制御信号ＣＴＲ１−１，ＣＴＲ１−２，ＣＴＲ２−１及びＣＴＲ２−２の活性化タイミング及び非活性化タイミングを制御することができる。
【００６２】
例えば、現在の動作モードが、第３動作モードＭＯＤＥ３であるとき、ユーザ１０が第１ボタン２１１を押せば、入力装置２１０は、第１ボタン２１１が押されたことを指示する動作制御信号ＯＣＳ１を、マイクロプロセッサ２００に伝送する。従って、マイクロプロセッサ２００またはマイクロプロセッサ２００によって実行されるファームウェアは、動作制御信号ＯＣＳ１に応答し、第４動作モードＭＯＤＥ４を遂行するために、各制御信号ＣＴＲ１−１，ＣＴＲ１−２，ＣＴＲ２−１及びＣＴＲ２−２の活性化タイミング及び非活性化タイミングを制御することができる。
【００６３】
しかし、現在の動作モードが、第３動作モードＭＯＤＥ３であるとき、ユーザ１０が第３ボタン２１５を押せば、入力装置２１０は、第３ボタン２１５が押されたことを指示する動作制御信号ＯＣＳ１をマイクロプロセッサ２００に伝送する。従って、マイクロプロセッサ２００またはマイクロプロセッサ２００によって実行されるファームウェアは、動作制御信号ＯＣＳ１に応答し、第２動作モードＭＯＤＥ２を遂行するために、各制御信号ＣＴＲ１−１，ＣＴＲ１−２，ＣＴＲ２−１及びＣＴＲ２−２の活性化タイミング及び非活性化タイミングを制御することができる。
【００６４】
時間差を置いて第１ボタン２１１が押されるたびに、マイクロプロセッサ２００またはマイクロプロセッサ２００によって実行されるファームウェアは、動作モードを増加させることができ、時間差を置いて第３ボタン２１５が押されるたびに、マイクロプロセッサ２００またはマイクロプロセッサ２００によって実行されるファームウェアは、動作モードを減少させることができる。
【００６５】
図６は、図４に図示された制御信号それぞれのタイミング図を示し、図７は、図４に図示されたマイクロプロセッサにおいて累積されるオン時間を例示的に示す。図１から図７を参照すれば、時点Ｔ１及びＴ２間の第１時間区間Ｔ１２は、第１動作モードＭＯＤＥ１が遂行される区間であり、時点Ｔ２及びＴ３間の第２時間区間Ｔ２３は、第２動作モードＭＯＤＥ２が遂行される区間であり、時点Ｔ３及びＴ４間の第３時間区間Ｔ３４は、第３動作モードＭＯＤＥ３が遂行される区間であり、時点Ｔ５及びＴ５間の第４時間区間Ｔ４５は、第４動作モードＭＯＤＥ４が遂行される区間であると仮定する。
【００６６】
図７に図示されているように、ウェアラブル装置１００が動作する間、マイクロプロセッサ２００またはマイクロプロセッサ２００によって実行されるファームウェアは、第１ＬＥＤソース２３０がターンオンされる時間ＴＬ１（例えば、第１オン時間）を累積記録し、第２ＬＥＤソース２４０がターンオンされる時間ＴＬ２（例えば、第２オン時間）を累積記録し、各電動モータ２５１，２５３及び２５５が動作する各時間ＴＭ１，ＴＭ２及びＴＭ３（例えば、第３オン時間）を累積記録する。
【００６７】
図８は、図３に図示されたモバイル装置で実行されるアプリケーションのグラフィックユーザインターフェース（ＧＵＩ：graphic user interface）を例示的に示す。アプリケーション３２０は、パワーオンボタン３２２、パワーオフボタン３２４、状態要請ボタン３３０、体脂肪測定ボタン３４０、動き測定ボタン３５０及びモード制御ボタン３６０を含む。本明細書のボタンは、特定の動作を制御する信号を生成するためのＧＵＩを意味する。
【００６８】
パワーオンボタン３２２がユーザ１０によってタッチされたり押されたりすれば、モバイル装置３００は、ウェアラブル装置１００のパワーオン（power-on）のための信号を無線送受信器２７０に伝送し、ウェアラブル装置１００は、パワーオンシーケンスを始めることができる。該パワーオンシーケンス（または、起動）により、バッテリ２８０は、ウェアラブル装置１００に含まれた構成要素に動作電圧を供給することができる。パワーオンのための信号に応答し、ウェアラブル装置１００がパワーオンされれば、マイクロプロセッサ２００またはマイクロプロセッサ２００で実行されるファームウェアは、ウェアラブル装置１００の使用時間（または、動作時間）をカウントし始める。
【００６９】
パワーオフボタン３２４がユーザ１０によってタッチされたり押されたりすれば、モバイル装置３００は、ウェアラブル装置１００のパワーオフ（power-off）のための信号を無線送受信器２７０に伝送し、ウェアラブル装置１００は、パワーオフシーケンスを始めることができる。該パワーオフシーケンスにより、バッテリ２８０は、ウェアラブル装置１００に含まれた構成要素に供給される動作電圧を遮断することができる。しかし、該パワーオンシーケンスのための構成要素（例えば、無線送受信器２７０及びウェアラブル装置１００をウェークアップすることができる構成要素）は、バッテリ２８０から動作電圧を常時供給される。
【００７０】
状態要請ボタン３３０がユーザ１０によってタッチされたり押されたりすれば、ウェアラブル装置１００とペアリングされたモバイル装置３００は、アプリケーション３２０によって生成された状態要請信号を、無線送受信器２７０に伝送することができる。
【００７１】
マイクロプロセッサ２００は、無線送受信器２７０から伝送された状態要請信号に応答し、累積保存された第１オン時間、累積保存された第２オン時間、及び累積保存された第３オン時間のうち少なくとも一つを含む状態情報を、無線送受信器２７０を介して、モバイル装置３００に伝送することができる。
【００７２】
また、マイクロプロセッサ２００は、無線送受信器２７０から伝送された状態要請信号に応答し、ウェアラブル装置１００の動作時間を、状態情報として、無線送受信器２７０を介して、モバイル装置３００に伝送することができる。モバイル装置３００は、ディスプレイ３１０を介して、ユーザ１０に前記状態情報を提供することができる。
【００７３】
図３に図示されているように、アプリケーション３２０は、前記動作時間に対応する状態情報を利用し、ウェアラブル装置１００の動作時間、または現在時点からウェアラブル装置１００が自動的にパワーオフされるまで残った時間を、ディスプレイ３１０を介して、ユーザ１０に提供することができる。
【００７４】
状態要請ボタン３３０は、第１ＬＥＤソース２３０の動作時間確認のためのボタン３３１、第２ＬＥＤソース２４０の動作時間確認のためのボタン３３２、振動モータ２５１，２５５の動作時間確認のためのボタン３３３、及び振動モータ２５３の動作時間確認のためのボタン３３４を含んでもよい。
【００７５】
振動モータ２５３が動作するとき、振動モータ２５１，２５５も共に動作すると仮定する。従って、モータ弱（weak）モードでは、２つの振動モータ２５１，２５５が動作し、モータ強（strong）モードでは、３つの振動モータ２５１，２５３及び２５５が動作する。
【００７６】
体脂肪測定ボタン３４０がユーザ１０によってタッチされたり押されたりすれば、ウェアラブル装置１００とペアリングされたモバイル装置３００は、アプリケーション３２０によって生成された体脂肪測定信号を、無線送受信器２７０に伝送することができる。
【００７７】
マイクロプロセッサ２００は、前記体脂肪測定信号を、無線送受信器２７０を介して受信し、前記体脂肪測定信号に応答し、体脂肪センサ２９１，２９３をイネーブルさせ、体脂肪センサ２９１，２９３から伝送された測定信号を利用し、ユーザ１０の前記体脂肪（特に、腹部体脂肪）を測定（または、計算）し、測定の結果に対応する体脂肪データを、無線送受信器２７０を介して、モバイル装置３００に伝送することができる。
【００７８】
動き測定ボタン３５０がユーザ１０によってタッチされたり押されたりすれば、ウェアラブル装置１００とペアリングされたモバイル装置３００は、アプリケーション３２０によって生成された動き測定信号を、無線送受信器２７０に伝送することができる。
【００７９】
マイクロプロセッサ２００は、モバイル装置３００から出力された動き測定信号を、無線送受信器２７０を介して受信し、前記動き測定信号に応答して動いたセンサ２９５をイネーブルさせ、動きセンサ２９５から伝送された測定信号を利用し、ユーザ１０の前記動きを測定し、該測定の結果に対応する動きデータを、無線送受信器２７０を介して、モバイル装置３００に伝送することができる。
【００８０】
モード制御ボタン３６０は、第１モード制御ボタン３６１と第２モード制御ボタン３６３とを含んでもよい。第１モード制御ボタン３６１の機能と、第１ボタン２１１の機能は、同一であり、第２モード制御ボタン３６３の機能と、第３ボタン２１５の機能は、同一であると仮定する。
【００８１】
モード制御ボタン３６０がユーザ１０によってタッチされたり押されたりすれば、ウェアラブル装置１００とペアリングされたモバイル装置３００は、アプリケーション３２０によって生成された動作制御信号を、無線送受信器２７０に伝送することができる。
【００８２】
マイクロプロセッサ２００は、無線送受信器２７０から出力された動作制御信号ＯＣＳ２を解釈し、該解釈の結果により、各制御信号ＣＴＲ１−１，ＣＴＲ１−２，ＣＴＲ２−１及びＣＴＲ２−２の活性化と非活性化とのタイミングを制御することができる。
【００８３】
例えば、現在の動作モードが、第３動作モードＭＯＤＥ３であるとき、ユーザ１０が第１モード制御ボタン３６１をタッチしたり押したりすれば、モバイル装置３００は、第１モード制御ボタン３６１のタッチまたは押されることを指示する動作制御信号ＯＣＳ２を、無線送受信器２７０に伝送する。マイクロプロセッサ２００またはマイクロプロセッサ２００によって実行されるファームウェアは、無線送受信器２７０から出力された動作制御信号ＯＣＳ２に応答し、第４動作モードＭＯＤＥ４を遂行するために、各制御信号ＣＴＲ１−１，ＣＴＲ１−２，ＣＴＲ２−１及びＣＴＲ２−２の活性化及び非活性化を制御することができる。
【００８４】
しかし、現在の動作モードが、第３動作モードＭＯＤＥ３であるとき、ユーザ１０が第２モード制御ボタン３６３をタッチしたり押したりすれば、モバイル装置３００は、第２モード制御ボタン３６３のタッチまたは押されることを指示する動作制御信号ＯＣＳ２を、無線送受信器２７０に伝送する。マイクロプロセッサ２００またはマイクロプロセッサ２００によって実行されるファームウェアは、無線送受信器２７０から出力された動作制御信号ＯＣＳ２に応答し、第２動作モードＭＯＤＥ２を遂行するために、各制御信号ＣＴＲ１−１，ＣＴＲ１−２，ＣＴＲ２−１及びＣＴＲ２−２の活性化及び非活性化を制御することができる。
【００８５】
第１モード制御ボタン３６１が押されるたびに、マイクロプロセッサ２００またはマイクロプロセッサ２００によって実行されるファームウェアは、動作モードを増加させることができ、第２モード制御ボタン３６３が押されるたびに、マイクロプロセッサ２００またはマイクロプロセッサ２００によって実行されるファームウェアは、動作モードを減少させることができる。
【００８６】
一実施形態により、アプリケーション３２０は、図５に図示された動作モードＭＯＤＥ１ないしＭＯＤＥＸのうちいずれか一つを直接選択することができるＧＵＩを、ユーザ１０に提供することができる。例えば、第３動作モードＭＯＤＥ３を実行するために、ユーザ１０が、第３動作モードＭＯＤＥ３の実行に係わるＧＵＩをタッチしたり押したりすれば、モバイル装置３００は、第３動作モードＭＯＤＥ３の実行を指示する動作制御信号を無線送受信器２７０に伝送することができる。
【００８７】
マイクロプロセッサ２００またはマイクロプロセッサ２００によって実行されるファームウェアは、無線送受信器２７０から出力された動作制御信号ＯＣＳ２に応答し、メモリ装置２６０に保存された動作モードのうち第３動作モードＭＯＤＥ３を参照し、第３動作モードＭＯＤＥ３を遂行するために、各制御信号ＣＴＲ１−１，ＣＴＲ１−２，ＣＴＲ２−１及びＣＴＲ２−２の活性化及び非活性化を制御することができる。
【００８８】
図９は、図３に図示されたモバイル装置で実行されるアプリケーションによって提供される体脂肪の変化を示すグラフィックユーザインターフェースを例示的に示す。図９を参照すれば、アプリケーション３００は、ウェアラブル装置３００から伝送された体脂肪データをユーザデータに加工し、加工されたユーザデータを、ディスプレイ３１０を介してユーザ１０に提供することができる。
【００８９】
例えば、アプリケーション３２０は、ユーザ１０が最初に測定した（または、デフォルト値として、ユーザ１０によって決められている）体脂肪データを基準値（例えば、１００）として設定し、その後、または他の日に測定される体脂肪データを、前記基準値（例えば、１００）に係わる相対的な値（例えば、９５、８８、…、５０）として、ディスプレイ３１０を介して、ユーザ１０に提供することができる。例えば、ユーザ１０が相対的な値（例えば、９５）を基準値として設定すれば、アプリケーション３２０は、他の値（８８、…、５０）を基準値（例えば、９５）によってさらに計算することができる。このとき、アプリケーション３２０は、比例式を利用し、他の値（８８、…、５０）を基準値（例えば、９５）によってさらに計算することができる。
【００９０】
一実施形態により、すなわち、図３に図示されているように、アプリケーション３２０は、ユーザ１０によって基準日に設定された前記基準日に測定された体脂肪と、今日測定された体脂肪との差（例えば、分解された脂肪、１６．６７ｇ）を計算し、計算の結果を、ディスプレイ３１０を介して、ユーザ１０に提供することができる。各グラフＧＰ１ないしＧＰ４は、互いに異なる日、または互いに異なる時間に測定された体脂肪を示す。
【００９１】
図１０は、図４に図示されたウェアラブル装置の動作について説明するフローチャートである。図１から図１０を参照すれば、ボタン２１３または３２２が押されることにより、ウェアラブル装置１００は、パワーオンシーケンスを介してパワーオンされる（Ｓ１１０）。
【００９２】
マイクロプロセッサ２００、またはマイクロプロセッサ２００で実行されるファームウェアは、ウェアラブル装置１００のパワーオン後、またはパワーオンになった直後から、ウェアラブル装置１００の使用時間（または、動作時間）をカウントする（Ｓ１２０）。マイクロプロセッサ２００または前記ファームウェアは、カウント値をリアルタイムで記録することができる。
【００９３】
マイクロプロセッサ２００または前記ファームウェアは、動作制御信号ＯＣＳ１またはＯＣＳ２が受信されるたびに、動作制御信号ＯＣＳ１またはＯＣＳ２に対応する動作モードを遂行することができる（Ｓ１３０）。マイクロプロセッサ２００または前記ファームウェアは、メモリ装置２６０に保存された動作モードＭＯＤＥ１ないしＭＯＤＥＸのうちいずれか１つの動作モードを、動作制御信号ＯＣＳ１またはＯＣＳ２に基づいて選択することができる（Ｓ１３０）。
【００９４】
マイクロプロセッサ２００または前記ファームウェアは、前記動作時間、第１オン時間、第２オン時間、及び第３オン時間を累積して記録する（Ｓ１４０）。第１オン時間、第２オン時間及び第３オン時間が累積記録される過程は、図６及び図７を参照して説明した通りである。
【００９５】
一実施形態により、マイクロプロセッサ２００または前記ファームウェアは、ウェアラブル装置１００の動作時間のカウント値と基準値（例えば、３０分）とが同一であるか否かということを判断することができる（Ｓ１５０）。
【００９６】
前記カウント値が前記基準値より小さいとき、マイクロプロセッサ２００または前記ファームウェアは、前記カウント値が前記基準値に達するまで、ウェアラブル装置１００の動作時間をカウントする（Ｓ１２０）。従って、前記カウント値が前記基準値に達するまで、段階（Ｓ１３０及びＳ１４０）は、遂行される。
【００９７】
前記カウント値が前記基準値に達すれば、マイクロプロセッサ２００または前記ファームウェアは、ウェアラブル装置１００を自動的にパワーオフにする（Ｓ１６０）。
【００９８】
図１１は、図３に図示されたモバイル装置で実行されるアプリケーションを利用し、ウェアラブル装置から状態情報を獲得する過程を示すフローチャートである。
【００９９】
図１０及び図１１を参照すれば、図１０に図示された段階（Ｓ１１０ないしＳ１４０、Ｓ１５０、及びＳ１６０）、並びに図１１に図示された段階（Ｓ１１０ないしＳ１４０、Ｓ１５０、及びＳ１６０）は、同一である。
【０１００】
状態要請ボタン３３０がユーザ１０によってタッチされたり押されたりすれば、モバイル装置３００は、アプリケーション３２０によって生成された状態要請信号を無線送受信器２７０に伝送することができる。マイクロプロセッサ２００は、無線送受信器２７０から伝送された状態要請信号を受信し（Ｓ２１０）、前記状態要請信号に応答し、動作時間、累積された第１オン時間、累積された第２オン時間、及び累積された第３オン時間のうち少なくとも一つを含む状態情報を、無線送受信器２７０を介して、モバイル装置３００に伝送することができる（Ｓ２２０）。
【０１０１】
図１２は、図３に図示されたモバイル装置で実行されるアプリケーションを利用し、ウェアラブル装置を制御する過程を示すフローチャートである。図１から図９、及び図１２を参照すれば、体脂肪測定ボタン３４０がユーザ１０によってタッチされたり押されたりすれば、モバイル装置３００は、アプリケーション３２０によって生成された体脂肪測定信号を、無線送受信器２７０に伝送することができる（Ｓ３１０）。
【０１０２】
マイクロプロセッサ２００は、前記体脂肪測定信号を無線送受信器２７０を介して受信し、前記体脂肪測定信号に応答し、体脂肪センサ２９１，２９３をイネーブルさせ、体脂肪センサ２９１，２９３から伝送された測定信号を利用し、ユーザ１０の前記体脂肪（特に、腹部体脂肪）を測定（または、計算）することができる（Ｓ３２０）。
【０１０３】
マイクロプロセッサ２００は、測定の結果に対応する体脂肪データを、無線送受信器２７０を介して、モバイル装置３００に伝送することができる（Ｓ３３０）。モバイル装置３００のアプリケーション３２０は、前記体脂肪データを分析し（Ｓ３４０）、分析された体脂肪データに対応するユーザデータを、図３及び図９を参照して説明したように、ディスプレイ３１０を介してユーザ１０に提供することができる（Ｓ３５０）。
【０１０４】
図１３は、図３に図示されたモバイル装置で実行されるアプリケーションを利用し、ウェアラブル装置を制御する過程を示すフローチャートである。図１から図９、及び図１３を参照すれば、動き測定ボタン３５０がユーザ１０によってタッチされたり押されたりすれば、モバイル装置３００は、アプリケーション３２０によって生成された動き測定信号を、無線送受信器２７０に伝送することができる（Ｓ４１０）。
【０１０５】
マイクロプロセッサ２００は、モバイル装置３００から出力された動き測定信号を、無線送受信器２７０を介して受信し、前記動き測定信号に応答して動いたセンサ２９５をイネーブルさせ、動きセンサ２９５から伝送された測定信号を利用し、ユーザ１０の前記動きを測定し（Ｓ４２０）、測定の結果に対応する動きデータを、無線送受信器２７０を介して、モバイル装置３００に伝送することができる（Ｓ４３０）。
【０１０６】
モバイル装置３００のアプリケーション３２０は、前記動きデータを分析し（Ｓ４４０）、分析された動きデータに対応するユーザデータを、ディスプレイ３１０を介してユーザ１０に提供することができる（Ｓ４５０）。
【０１０７】
図１４は、ユーザの腰部分に着用された本発明の実施形態によるウェアラブル装置を示し、図１５は、ユーザの腰部分に着用された本発明の実施形態によるウェアラブル装置を示す。
【０１０８】
図１４及び図１５を参照すれば、本明細書で説明されるウェアラブル装置１１００は、ユーザ１１５０の腰（または、腰部分）に着用され、ユーザ１１５０の体脂肪（特に、腹部脂肪）を分解することができる装置であり、ダイエットベルト、ウェアラブルライトセラピー装置またはウェアラブルヘルスケア機器（wearable health care device）を意味する。ライトセラピーは、可視光のうち特定のカラーに対応する波長を利用し、健康、美容、老化防止、皮膚管理、肥満減少及び／または疾病予防などに使用することができる技術を意味する。
【０１０９】
ウェアラブル装置１１００の本体（body）は、弾性がある物質によっても具現される。ウェアラブル装置１１００の前面１１０１には、ウェアラブル装置１１００の動作を制御することができるユーザインターフェース１１１０が配置され、ユーザインターフェース１１１０は、複数のボタン１２１１，１２１３及び１２１５を含んでもよい。
【０１１０】
例えば、図１５に図示されているように、ウェアラブル装置１１００を自分の腰に作用したユーザ１０５０は、第２ボタン１２１３を操作し（または、押し）、ウェアラブル装置１１００のパワーオン（power-on）とパワーオフ（power-off）とを調節することができる。ユーザ１１５０は、各ボタン１２１１，１２１５を操作し（または、押し）、動作モードまたは動作状態を変更することができる。たとえ図１５、図１６及び図１８においては、３個のボタン１２１１，１２１３及び１２１５が例示的に図示されているにしても、３個のボタン１２１１，１２１３及び１２１５は、説明の便宜のために図示されたものであり、ウェアラブル装置１１００の動作に係わるボタンの個数と、前記ボタンの配置位置は、設計仕様によって多様に変更されもする。図面番号１０３は、ウェアラブル装置１１００をユーザ１１５０の腰（または、腹部）に締結するためのベルトを意味する。
【０１１１】
図１６は、図１４及び図１５に図示されたウェアラブル装置内部に含まれた電子システムの一実施形態を示すブロック図である。図１４から図１６を参照すれば、ウェアラブル装置１１００内部に具現される電子システム１１００Ａは、コントローラ１２００、ボタン１２１１，１２１３及び１２１５を含むユーザインターフェース１１１０、入力装置１２１０、第１ＬＥＤソース１２３０、第２ＬＥＤソース１２４０、振動モータ１２５１，１２５３及び１２５５、バッテリ１２８０及びスイッチＳＷ１，ＳＷ３，ＳＷ４及びＳＷ５を含んでもよい。
【０１１２】
コントローラ１２００は、電子システム１１００Ａの動作を全般的に制御することができるマイクロプロセッサ、プロセッサまたはＣＰＵ（central processing unit）を意味する。コントローラ１２００の動作は、各構成要素（１２１０，１２３０，１２４０，１２５１，１２５３，１２５５及び１２８０）の動作と共に説明される。
【０１１３】
コントローラ１２００は、入力装置１２１０から出力された動作制御信号ＰＷＲ，ＢＴＵまたはＢＴＤを受信して解釈し、該解釈の結果により、第１制御信号及び第２制御信号を生成することができる。
【０１１４】
ウェアラブル装置１１００を腰に着用したユーザ１０５０は、ユーザインターフェース１１１０に含まれたボタン１２１１，１２１３及び１２１５それぞれを利用し、ウェアラブル装置１１００のパワーオン、パワーオフ及び／または動作モードを変更することができる。前記動作モードは、ＬＥＤソース１２３０，１２４０が動作する第１動作モード、ＬＥＤソース１２３０，１２４０と振動モータ１２５１，１２５５とが動作する第２動作モード、及びＬＥＤソース１２３０，１２４０と振動モータ１２５１，１２５３及び１２５５とが動作する第３動作モードを含んでもよい。
【０１１５】
入力装置１２１０は、ボタン１２１１，１２１３及び１２１５それぞれの操作（または、押し）によって生成された動作制御信号ＰＷＲ，ＢＴＵまたはＢＴＤをコントローラ１２００に伝送することができる。入力装置１２１０は、ボタン１２１１，１２１３及び１２１５それぞれの操作（または、押し）によって生成された信号を、動作制御信号ＰＷＲ，ＢＴＵまたはＢＴＤとして生成する機能を遂行することができる。
【０１１６】
第１ＬＥＤソース１２３０は、ウェアラブル装置１１００の裏面１１０２、すなわち、ウェアラブル装置１１００を着用したユーザ１０５０の腰（または、腹部）と対面するように配置され、裏面１１０２に具現された第１孔１２３０’を介して、第１波長を有する第１光を、前記腰側に出力することができる。第１ＬＥＤソース１２３０は、第１ＬＥＤランプ１２３１を含んでもよい。例えば、第１ＬＥＤランプ１２３１それぞれは、赤外線を発するＬＥＤランプによっても具現される。
【０１１７】
第２ＬＥＤソース１２４０は、ウェアラブル装置１１００の裏面１１０２、すなわち、ウェアラブル装置１１００を着用したユーザ１０５０の腰（または、腹部）と対面するように配置され、裏面１１０２に具現された第２孔１２４０’を介して、第２波長を有する第２光を、前記腰側に出力することができる。第２ＬＥＤソース１２４０は、第２ＬＥＤランプ１２４１を含んでもよい。例えば、第２ＬＥＤランプ１２４１それぞれは、近赤外線（ＮＩＲ）を発するＬＥＤランプによっても具現される。前記第１波長の一部と、前記第２波長の一部は、互いに同じでもある。
【０１１８】
たとえ第１ＬＥＤランプ１２３１それぞれが、赤外線を発するＬＥＤランプによって具現され、第２ＬＥＤランプ１２４１それぞれが、近赤外線（ＮＩＲ））を発するＬＥＤランプによっても具現されるにしても、一実施形態により、第１ＬＥＤソース１２３０それぞれと、第２ＬＥＤソース１２４０それぞれは、同一ＬＥＤランプによっても具現される。
【０１１９】
赤外線及び／または近赤外線は、ユーザ１０５０の腰近辺の皮膚を侵透し、皮下脂肪層の脂肪細胞に伝達される。
【０１２０】
各ＬＥＤランプ１２３１及び／または１２４１から出力された光（例えば、赤外線及び／または近赤外線）がユーザ１０５０の腰（または、腹部）部位に照射されれば、前記光は、脂肪細胞内のミトコンドリアを刺激し、前記ミトコンドリアは、脂肪を分解するエネルギーを生成することができる。かような化学的変化は、トリグリセライドを、脂肪酸とグリセロールとに分解するリパーゼ（lipase）酵素の分泌を促進することができる。小さく分解された脂肪物質は、脂肪細胞の表面孔を介して排出され、排出された脂肪物質は、体中のリンパ系を循環していて、自然に減少するか、あるいはユーザ１０５０の運動によっても燃焼される。
【０１２１】
各ＬＥＤランプ１２３１及び／または１２４１を利用し、ユーザ１０５０の腰（または、腹部）部位に光を照射しながら、ウェアラブル装置１１００が振動モータ１２５１，１２５３及び１２５５のうち少なくとも一つを利用し、前記腰部位に振動（vibration）を加えれば、脂肪細胞の運動性は増大し、小さく分解された脂肪物質は、体中に良好に移動される。従って、前記振動は、有酸素運動を代替し、腹部の脂肪を減少させる効果を生じさせることができる。
【０１２２】
第１ＬＥＤソース１２３０及び第２ＬＥＤソース１２４０は、いずれも活性化された第１ソース制御信号ＣＴＲ１−１に応答してターンオンされる。ここで、該第１制御信号は、第１ソース制御信号ＣＴＲ１−１を意味する。
【０１２３】
例えば、第１ソース制御信号ＣＴＲ１−１が活性化されれば、第１スイッチＳＷ１は、ソース動作電圧ＶＤＤＳを、第１ＬＥＤソース１２３０と第２ＬＥＤソース１２４０とに同時に供給するので、第１ＬＥＤソース１２３０と第２ＬＥＤソース１２４０は、ソース動作電圧ＶＤＤＳを利用して発光することができる。
【０１２４】
コントローラ１２００は、入力装置１２１０から出力された第１動作制御信号ＰＷＲに基づいて、第１ソース制御信号ＣＴＲ１−１の活性化タイミング及び非活性化タイミングを制御することができる。
【０１２５】
微細振動子の機能を遂行する振動モータ１２５１，１２５５は、活性化された第１モータ制御信号ＣＴＲ２−１に応答して動作（例えば、振動）することができる。振動モータ１２５３は、活性化された第２モータ制御信号ＣＴＲ２−２に応答して動作（例えば、振動）することができる。該第２制御信号は、モータ制御信号ＣＴＲ２−１，ＣＴＲ２−２を総称する。従って、振動モータ１２５１，１２５５のうち少なくとも一つは、第２制御信号ＣＴＲ２−１，ＣＴＲ２−２に応答し、イネーブルまたはディセーブルされる。
【０１２６】
例えば、第１モータ制御信号ＣＴＲ２−１が活性化されれば、第３スイッチＳＷ３は、モータ動作電圧ＶＤＤＭを第１振動モータ１２５１に供給するので、第１振動モータ１２５１は、イネーブルされるか、あるいは振動することができる。また、第１モータ制御信号ＣＴＲ２−１が活性化されれば、第４スイッチＳＷ４は、モータ動作電圧ＶＤＤＭを第３振動モータ１２５５に供給するので、第３振動モータ１２５５は、イネーブルされるか、あるいは振動することができる。第２モータ制御信号ＣＴＲ２−２が活性化されれば、第５スイッチＳＷ５は、モータ動作電圧ＶＤＤＭを第２振動モータ１２５３に供給するので、第２振動モータ１２５３は、イネーブルされるか、あるいは振動することができる。
【０１２７】
たとえ図１７においては、２個の振動モータ１２５１，１２５５が活性化された第１モータ制御信号ＣＴＲ２−１に応答して動作し、１つの振動モータ１２５３が活性化された第２モータ制御信号ＣＴＲ２−２に応答して動作するように図示されているにしても、ウェアラブル装置１１００内部に配置される振動モータの個数と、前記振動モータの動作順序は、一実施形態によっては、多様に変更されもする。図１５は、ウェアラブル装置１１００内部に配置される振動モータ１２５１，１２５３及び１２５５を示す。
【０１２８】
コントローラ１２００は、入力装置１２１０から出力された動作制御信号ＢＴＵまたはＢＴＤに応答し、モータ制御信号ＣＴＲ２−１，ＣＴＲ２−２それぞれの活性化タイミング及び非活性化タイミングを制御することができる。
【０１２９】
コントローラ１２００は、ファームウェア（または、ソフトウェア）を実行することができる。前記ファームウェア（または、ソフトウェア）は、ウェアラブル装置１１００の動作が始まるとき、ウェアラブル装置１１００の動作時間をカウントする機能、カウントの結果に対応するカウント値と基準値とを比較する機能、及び前記カウント値が前記基準値と同じであるとき、ウェアラブル装置１１００に供給されるパワーＶＤＤＭ，ＶＤＤＳ及びＰＷ１を自動的にオフにする機能を遂行することができる。例えば、前記ファームウェア（または、ソフトウェア）は、バッテリ１２８０の電力供給機能を制御することができる。
【０１３０】
コントローラ１２００は、入力装置１２１０から出力された動作制御信号ＰＷＲ，ＢＴＵまたはＢＴＤを受信し、動作制御信号ＰＷＲ，ＢＴＵまたはＢＴＤを利用し、図１７に図示されているようにカウント値ＣＮＴＶを変更し、変更されたカウント値ＣＮＴＶにより、第１制御信号ＣＴＲ１−１と第２制御信号ＣＴＲ２−１，ＣＴＲ２−２とを生成することができる。すなわち、コントローラ１２００は、動作制御信号ＰＷＲ，ＢＴＵまたはＢＴＤに基づいて決定されたカウント値ＣＮＴＶにより、各制御信号ＣＴＲ１−１，ＣＴＲ２−１及びＣＴＲ２−２の活性化タイミング並びに非活性化タイミングを制御することができる。
【０１３１】
バッテリ１２８０は、動作電圧ＰＷ１，ＶＤＤＭ及びＶＤＤＳを出力することができる。動作電圧ＰＷ１は、コントローラ１２００に供給され、モータ動作電圧ＶＤＤＭは、各スイッチＳＷ３，ＳＷ４及びＳＷ５を介して、各振動モータ１２５１，１２５３及び１２５５に供給され、ソース動作電圧ＶＤＤＳは、第１スイッチＳＷ１を介して、各ＬＥＤソース１２３０，１２４０に供給される。
【０１３２】
図１７は、図１６に図示されたコントローラの動作について説明する概念図である。図１６及び図１７を参照すれば、コントローラ１２００は、カウンタ１２００−２を含んでもよい。カウンタ１２００−２は、ハードウェアによっても具現され、コントローラ１２００で実行されるソフトウェアによっても具現される。コントローラ１２００は、パワーオンリセット回路（ＰＯＣ（power-on reset） circuit）を含んでもよい。パワーオンリセット回路１２００−１は、第１動作制御信号ＰＷＲに応答し、動作電圧ＰＷ１がコントローラ１２００に供給されることを制御することができる。
【０１３３】
第２ボタン１２１３が押されることにより、入力装置１２１０は、パワーオンを指示する第１動作制御信号ＢＴＵをコントローラ１２００に出力することができる。コントローラ１２００のパワーオンリセット回路１２００−１は、パワーオンを指示する第１動作制御信号ＰＷＲに応答してパワーオンになり、カウンタ１２００−２は、第１値ＣＮＴ０を有するカウント値ＣＮＴＶを生成することができる。
【０１３４】
制御信号生成回路１２００−３は、第１値ＣＮＴ０を有するカウント値ＣＮＴＶに応答し、ハイレベルに活性化される第１ソース制御信号ＣＴＲ１−１、ローレベルを有する第１モータ制御信号ＣＴＲ２−１、及びローレベルを有する第２モータ制御信号ＣＴＲ２−２を生成する。従って、第１ＬＥＤソース１２３０と第２ＬＥＤソース１２４０は、ソース動作電圧ＶＤＤＳを利用して発光することができる。
【０１３５】
カウント値ＣＮＴＶが第１値ＣＮＴ０であるとき、第１ボタン１２１１が押されれば、入力装置１２１０は、動作モードの変更を指示する第２動作制御信号ＢＴＵをコントローラ１２００に出力する。カウンタ１２００−２は、第２動作制御信号ＢＴＵに応答し、第２値ＣＮＴ１を有するカウント値ＣＮＴＶを生成する（Ｓ１１１０）。第２値ＣＮＴ１は、第１値ＣＮＴ０より大きい。
【０１３６】
制御信号生成回路１２００−３は、第２値ＣＮＴ１を有するカウント値ＣＮＴＶに応答し、ハイレベルを有する第１ソース制御信号ＣＴＲ１−１、ハイレベルに活性化される第１モータ制御信号ＣＴＲ２−１、及びローレベルを有する第２モータ制御信号ＣＴＲ２−２を生成する。従って、第１ＬＥＤソース１２３０と第２ＬＥＤソース１２４０は、ソース動作電圧ＶＤＤＳを利用して発光し、振動モータ１２５１，１２５５は、モータ動作電圧ＶＤＤＭを利用して動作（または、振動）する。
【０１３７】
カウント値ＣＮＴＶが第２値ＣＮＴ１であるとき、第１ボタン１２１１がさらに押されれば、入力装置１２１０は、動作モードの変更を指示する第２動作制御信号ＢＴＵをコントローラ１２００に出力する。カウンタ１２００−２は、第２動作制御信号ＢＴＵに応答し、第３値ＣＮＴ２を有するカウント値ＣＮＴＶを生成する（Ｓ１１２０）。第３値ＣＮＴ２は、第２値ＣＮＴ１より大きい。
【０１３８】
制御信号生成回路１２００−３は、第３値ＣＮＴ２を有するカウント値ＣＮＴＶに応答し、ハイレベルを有する第１ソース制御信号ＣＴＲ１−１、ハイレベルを有する第１モータ制御信号ＣＴＲ２−１、及びハイレベルに活性化される第２モータ制御信号ＣＴＲ２−２を生成する。従って、第１ＬＥＤソース１２３０と第２ＬＥＤソース１２４０は、ソース動作電圧ＶＤＤＳを利用して発光し、振動モータ１２５１，１２５３及び１２５５は、いずれもモータ動作電圧ＶＤＤＭを利用して動作（または、振動）する。
【０１３９】
カウント値ＣＮＴＶが第１値ＣＮＴ０であるとき、ウェアラブル装置１１００は、第１動作モードを遂行し、カウント値ＣＮＴＶが第２値ＣＮＴ１であるとき、ウェアラブル装置１１００は、第２動作モードを遂行し、カウント値ＣＮＴＶが第３値ＣＮＴ２であるとき、ウェアラブル装置１１００は、第３動作モードを遂行する。
【０１４０】
しかし、カウント値ＣＮＴＶが第２値ＣＮＴ１であるとき、第３ボタン１２１５が押されれば、入力装置１２１０は、動作モードの変更を指示する第３動作制御信号ＢＴＤをコントローラ１２００に出力する。カウンタ１２００−２は、第３動作制御信号ＢＴＤに応答し、第２値ＣＮＴ１から第１値ＣＮＴ０に低減するカウント値ＣＮＴＶを生成する（Ｓ１１５０）。
【０１４１】
制御信号生成回路１２００−３は、第１値ＣＮＴ０を有するカウント値ＣＮＴＶに応答し、ハイレベルを有する第１ソース制御信号ＣＴＲ１−１、ローレベルに非活性化される第１モータ制御信号ＣＴＲ２−１、及びローレベルを有する第２モータ制御信号ＣＴＲ２−２を生成する。従って、第１ＬＥＤソース１２３０と第２ＬＥＤソース１２４０は、ソース動作電圧ＶＤＤＳを利用して発光するが、振動モータ１２５１，１２５５は、オフになる。
【０１４２】
カウント値ＣＮＴＶが第３値ＣＮＴ２であるとき、第３ボタン１２１５が押されれば、入力装置１２１０は、動作モードの変更を指示する第３動作制御信号ＢＴＤをコントローラ１２００に出力する。カウンタ１２００−２は、第３動作制御信号ＢＴＤに応答し、第３値ＣＮＴ２から第２値ＣＮＴ１に低減するカウント値ＣＮＴＶを生成する（Ｓ１１４０）。
【０１４３】
制御信号生成回路１２００−３は、第２値ＣＮＴ１を有するカウント値ＣＮＴＶに応答し、ハイレベルを有する第１ソース制御信号ＣＴＲ１−１、ハイレベルを有する第１モータ制御信号ＣＴＲ２−１、及びローレベルに非活性化される第２モータ制御信号ＣＴＲ２−２を生成する。従って、第１ＬＥＤソース１２３０と第２ＬＥＤソース１２４０は、ソース動作電圧ＶＤＤＳを利用して発光するが、第３振動モータ１２５３だけがオフになる。
【０１４４】
カウント値ＣＮＴＶが第３値ＣＮＴ２であるとき、第１ボタン１２１１が押されれば、入力装置１２１０は、動作モードの変更を指示する第２動作制御信号ＢＴＵをコントローラ１２００に出力する。しかし、カウンタ１２００−２は、第２動作制御信号ＢＴＵに応答し、第３値ＣＮＴ２を増大させず、第３値ＣＮＴ２をそのまま維持するカウント値ＣＮＴＶを生成する（Ｓ１１３０）。
【０１４５】
カウント値ＣＮＴＶが第１値ＣＮＴ０であるとき、第３ボタン１２１５が押されれば、入力装置１２１０は、動作モードの変更を指示する第３動作制御信号ＢＴＤをコントローラ１２００に出力する。しかし、カウンタ１２００−２は、第３動作制御信号ＢＴＤに応答し、第１値ＣＮＴ０を低減させず、第１値ＣＮＴ０をそのまま維持するカウント値ＣＮＴＶを生成する（Ｓ１１６０）。
【０１４６】
図１６及び図１７を参照して説明したように、コントローラ１２００は、第１動作制御信号ＰＷＲに応答し、第１制御信号ＣＴＲ１−１を生成し、第２動作制御信号ＢＴＵが入力されるたびに、第２動作制御信号ＢＴＵの入力回数をカウントし、カウント値（または、現在カウント値）を増加させ、第３動作制御信号ＢＴＤが入力されるたびに、第３動作制御信号ＢＴＤの入力回数をカウントし、前記カウント値（または、現在カウント値）を減少させ、増加したカウント値または減少したカウント値に対応する第２制御信号ＣＴＲ２−１，ＣＴＲ２−２を生成する。
【０１４７】
第１スイッチ回路ＳＷ１は、第１制御信号ＣＴＲ１−１に応答し、第１ＬＥＤソース１２３０及び第２ＬＥＤソース１２４０のオンまたはオフを制御する。このとき、第１スイッチ回路ＳＷ１は、第１スイッチＳＷ１を含む。
【０１４８】
第２スイッチ回路ＳＷ３，ＳＷ４及びＳＷ５は、第２制御信号ＣＴＲ２−１，ＣＴＲ２−２に基づいて、振動モータ１２５１，１２５３及び１２５５のうち作動する振動モータの個数を調節することができる。第２スイッチ回路ＳＷ３，ＳＷ４及びＳＷ５は、第３スイッチＳＷ３から第５スイッチＳＷ５を含む。
【０１４９】
カウント値ＣＮＴＶが第１カウント値（例えば、ＣＮＴ２）に達した後、第２動作制御信号ＢＴＵが入力されれば、コントローラ１２００は、第１カウント値（例えば、ＣＮＴ２）をそのまま維持する。カウント値ＣＮＴＶが第２カウント値（例えば、ＣＮＴ０）に達した後、第３動作制御信号ＢＴＤが入力されれば、コントローラ１２００は、第２カウント値（例えば、ＣＮＴ０）をそのまま維持し、第１カウント値（例えば、ＣＮＴ２）は、第２カウント値（例えば、ＣＮＴ０）より大きい。
【０１５０】
コントローラ１２００は、第１時点に入力された第１動作制御信号ＰＷＲに応答して活性化された第１制御信号ＣＴＲ１−１を生成し、第１スイッチ回路ＳＷ１は、前記活性化された前記第１制御信号ＣＴＲ１−１に応答し、第１ＬＥＤソース１２３０及び第２ＬＥＤソース１２４０のうち少なくとも一つに、動作電圧ＶＤＤＭ，ＶＤＤＳ及びＰＷ１のうち第１動作電圧ＶＤＤＳ、すなわち、ソース動作電圧ＶＤＤＳを供給する。
【０１５１】
コントローラ１２００は、前記第１時点から事前に決められている時間（例えば、３０分）が経過する第２時点で、第１ＬＥＤソース１２３０及び第２ＬＥＤソース１２４０のうち前記少なくとも一つに供給される前記第１動作電圧ＶＤＤＳを遮断するために、活性化された第１制御信号ＣＴＲ１−１を自動的に非活性化させる。すなわち、コントローラ１２００は、自動的にウェアラブル装置１１００の動作をオフにすることができる。第１時点は、第２ボタン１２１３が押されることにより、パワーオフ状態であるウェアラブル装置１１００に動作電圧ＰＷ１が供給される時点を意味する。
【０１５２】
図１８は、図１４及び図１５に図示されたウェアラブル装置内部に含まれた電子システムの他の実施形態を示すブロック図を示し、図１９は、図１８に図示されたコントローラの動作について説明する概念図である。
【０１５３】
図１８を参照すれば、ウェアラブル装置１１００内部に具現される電子システム１１００Ｂは、コントローラ１２００、ボタン１２１１，１２１３及び１２１５を含むユーザインターフェース１１１０、入力装置１２１０、第１ＬＥＤソース１２３０、第２ＬＥＤソース１２４０、振動モータ１２５１，１２５３及び１２５５、バッテリ１２８０、並びにスイッチＳＷ１，ＳＷ２，ＳＷ３，ＳＷ４及びＳＷ５を含んでもよい。
【０１５４】
第１ＬＥＤソース１２３０は、活性化された第１ソース制御信号ＣＴＲ１−１に応答してターンオンされ、第２ＬＥＤソース１２４０は、活性化された第２ソース制御信号ＣＴＲ１−２に応答してターンオンされる。ここで、該第１制御信号は、ソース制御信号ＣＴＲ１−１，ＣＴＲ１−２を総称する。
【０１５５】
例えば、第１ソース制御信号ＣＴＲ１−１が活性化されれば、第１スイッチＳＷ１は、ソース動作電圧ＶＤＤＳを第１ＬＥＤソース１２３０に供給するので、第１ＬＥＤソース１２３０は、ソース動作電圧ＶＤＤＳを利用して発光することができる。例えば、第２ソース制御信号ＣＴＲ１−２が活性化されれば、第２スイッチＳＷ２は、ソース動作電圧ＶＤＤＳを第２ＬＥＤソース１２４０に供給するので、第２ＬＥＤソース１２４０は、ソース動作電圧ＶＤＤＳを利用して発光することができる。
【０１５６】
第２ボタン１２１３が押されルことにより、入力装置１２１０は、パワーオンを指示する第１動作制御信号ＢＴＵをコントローラ１２００に出力する。コントローラ１２００のパワーオンリセット回路１２００−１は、パワーオンを指示する第１動作制御信号ＰＷＲに応答してパワーオンになり、カウンタ１２００−２は、第１値ＣＮＴ０を有するカウント値ＣＮＴＶを生成する。
【０１５７】
制御信号生成回路１２００−３は、第１値ＣＮＴ０を有するカウント値ＣＮＴＶに応答し、ハイレベルに活性化される第１ソース制御信号ＣＴＲ１−１、ローレベルを有する第１ソース制御信号ＣＴＲ１−２、ローレベルを有する第１モータ制御信号ＣＴＲ２−１、及びローレベルを有する第２モータ制御信号ＣＴＲ２−２を生成する。第１スイッチＳＷ１は、ハイレベルに活性化される第１ソース制御信号ＣＴＲ１−１に応答し、ソース動作電圧ＶＤＤＳを第１ＬＥＤソース１２３０に供給するので、第１ＬＥＤソース１２３０は、ソース動作電圧ＶＤＤＳを利用して発光することができる。
【０１５８】
カウント値ＣＮＴＶが第１値ＣＮＴ０であるとき、第１ボタン１２１１が押されれば、入力装置１２１０は、動作モードの変更を指示する第２動作制御信号ＢＴＵをコントローラ１２００に出力する。カウンタ１２００−２は、第２動作制御信号ＢＴＵに応答し、第２値ＣＮＴ１を有するカウント値ＣＮＴＶを生成する（Ｓ１２１０）。
【０１５９】
制御信号生成回路１２００−３は、第２値ＣＮＴ１を有するカウント値ＣＮＴＶに応答し、ハイレベルを有する第１ソース制御信号ＣＴＲ１−１、ハイレベルに活性化される第２ソース制御信号ＣＴＲ１−２、ローレベルを有する第１モータ制御信号ＣＴＲ２−１、及びローレベルを有する第２モータ制御信号ＣＴＲ２−２を生成する。従って、第１ＬＥＤソース１２３０及び第２ＬＥＤソース１２４０だけがソース動作電圧ＶＤＤＳを利用して発光する。
【０１６０】
カウント値ＣＮＴＶが第２値ＣＮＴ１であるとき、第１ボタン１２１１がさらに押されれば、入力装置１２１０は、動作モードの変更を指示する第２動作制御信号ＢＴＵをコントローラ１２００に出力する。カウンタ１２００−２は、第３値ＣＮＴ２を有するカウント値ＣＮＴＶを生成する（Ｓ１２２０）。
【０１６１】
制御信号生成回路１２００−３は、第３値ＣＮＴ２を有するカウント値ＣＮＴＶに応答し、ハイレベルを有する第１ソース制御信号ＣＴＲ１−１、ハイレベルを有する第２ソース制御信号ＣＴＲ１−２、ハイレベルに活性化される第１モータ制御信号ＣＴＲ２−１、及びローレベルを有する第２モータ制御信号ＣＴＲ２−２を生成する。従って、第１ＬＥＤソース１２３０及び第２ＬＥＤソース１２４０は、ソース動作電圧ＶＤＤＳを利用して発光し、振動モータ１２５１，１２５５は、モータ動作電圧ＶＤＤＭを利用して動作（または、振動）する。
【０１６２】
カウント値ＣＮＴＶが第３値ＣＮＴ２であるとき、第１ボタン１２１１がさらに押されれば、入力装置１２１０は、動作モードの変更を指示する第２動作制御信号ＢＴＵをコントローラ１２００に出力する。カウンタ１２００−２は、第２動作制御信号ＢＴＵに応答し、第４値ＣＮＴ３を有するカウント値ＣＮＴＶを生成する（Ｓ１２３０）。第４値ＣＮＴ３は、第３値ＣＮＴ２より大きい。
【０１６３】
制御信号生成回路１２００−３は、第４値ＣＮＴ３を有するカウント値ＣＮＴＶに応答し、ハイレベルを有する第１ソース制御信号ＣＴＲ１−１、ハイレベルを有する第２ソース制御信号ＣＴＲ１−２、ハイレベルを有する第１モータ制御信号ＣＴＲ２−１、及びハイレベルに活性化される第２モータ制御信号ＣＴＲ２−２を生成する。従って、第１ＬＥＤソース１２３０及び第２ＬＥＤソース１２４０は、ソース動作電圧ＶＤＤＳを利用して発光し、振動モータ１２５１，１２５５は、モータ動作電圧ＶＤＤＭを利用して動作（または、振動）する。
【０１６４】
ウェアラブル装置１１００の動作モードはＬＥＤソース１２３０が動作する第１動作モード、ＬＥＤソース１２３０，１２４０が動作する第２動作モード、ＬＥＤソース１２３０，１２４０と振動モータ１２５１，１２５５とが動作する第３動作モード、及びＬＥＤソース１２３０，１２４０と振動モータ１２５１，１２５３及び１２５５とが動作する第４動作モードを含んでもよい。
【０１６５】
カウント値ＣＮＴＶが第４値ＣＮＴ３であるとき、第１ボタン１２１１が押されれば、入力装置１２１０は、動作モードの変更を指示する第２動作制御信号ＢＴＵをコントローラ１２００に出力する。しかし、カウンタ１２００−２は、第２動作制御信号ＢＴＵに応答し、第４値ＣＮＴ３を増加させず、第４値ＣＮＴ３をそのまま維持するカウント値ＣＮＴＶを生成する（Ｓ１２４０）。
【０１６６】
しかし、カウント値ＣＮＴＶが第４値ＣＮＴ３であるとき、第３ボタン１２１５が押されれば、入力装置１２１０は、動作モードの変更を指示する第３動作制御信号ＢＴＤをコントローラ１２００に出力する。カウンタ１２００−２は、第３動作制御信号ＢＴＤに応答し、第３値ＣＮＴ２を有するカウント値ＣＮＴＶを生成する（Ｓ１２５０）。
【０１６７】
制御信号生成回路１２００−３は、第３値ＣＮＴ２を有するカウント値ＣＮＴＶに応答し、ハイレベルを有する第１ソース制御信号ＣＴＲ１−１、ハイレベルを有する第２ソース制御信号ＣＴＲ１−２、ハイレベルを有する第１モータ制御信号ＣＴＲ２−１、及びローレベルに非活性化される第２モータ制御信号ＣＴＲ２−２を生成する。従って、第１ＬＥＤソース１２３０及び第２ＬＥＤソース１２４０は、ソース動作電圧ＶＤＤＳを利用して発光し、振動モータ１２５１，１２５３及び１２５５のうち第２振動モータ１２５３だけがオフになる。
【０１６８】
カウント値ＣＮＴＶが第３値ＣＮＴ２であるとき、第３ボタン１２１５が押されれば、入力装置１２１０は、動作モードの変更を指示する第３動作制御信号ＢＴＤをコントローラ１２００に出力する。カウンタ１２００−２は、第３動作制御信号ＢＴＤに応答し、第２値ＣＮＴ１を有するカウント値ＣＮＴＶを生成する（Ｓ１２６０）。
【０１６９】
制御信号生成回路１２００−３は、第２値ＣＮＴ２を有するカウント値ＣＮＴＶに応答し、ハイレベルを有する第１ソース制御信号ＣＴＲ１−１、ハイレベルを有する第２ソース制御信号ＣＴＲ１−２、ローレベルに非活性化される第１モータ制御信号ＣＴＲ２−１、及びローレベルに非活性化される第２モータ制御信号ＣＴＲ２−２を生成する。従って、第１ＬＥＤソース１２３０及び第２ＬＥＤソース１２４０は、ソース動作電圧ＶＤＤＳを利用して発光し、振動モータ１２５１，１２５３及び１２５５は、いずれもオフになる。
【０１７０】
カウント値ＣＮＴＶが第２値ＣＮＴ１であるとき、第３ボタン１２１５が押されれば、入力装置１２１０は、動作モードの変更を指示する第３動作制御信号ＢＴＤをコントローラ１２００に出力する。カウンタ１２００−２は、第３動作制御信号ＢＴＤに応答し、第１値ＣＮＴ０を有するカウント値ＣＮＴＶを生成する（Ｓ１２７０）。
【０１７１】
制御信号生成回路１２００−３は、第１値ＣＮＴ０を有するカウント値ＣＮＴＶに応答し、ハイレベルを有する第１ソース制御信号ＣＴＲ１−１、ローレベルに非活性化される第２ソース制御信号ＣＴＲ１−２、ローレベルを有する第１モータ制御信号ＣＴＲ２−１、及びローレベルを有する第２モータ制御信号ＣＴＲ２−２を生成する。従って、第１ＬＥＤソース１２３０は、ソース動作電圧ＶＤＤＳを利用して発光し、第２ＬＥＤソース１２４０は、オフになる。
【０１７２】
カウント値ＣＮＴＶが第１値ＣＮＴ０であるとき、第３ボタン１２１５が押されれば、入力装置１２１０は、動作モードの変更を指示する第３動作制御信号ＢＴＤをコントローラ１２００に出力する。カウンタ１２００−２は、第３動作制御信号ＢＴＤに応答し、第１値ＣＮＴ０をそのまま有するカウント値ＣＮＴＶを生成する（Ｓ１２８０）。
【０１７３】
図１６においては、第２ボタン１２１３が押されれば、第１ＬＥＤソース１２３０及び第２ＬＥＤソース１２４０がデフォルト（default）として動作（例えば、ターンオン）する実施形態が図示されているが、第２ボタン１２１３が押されれば、電子システム１１００Ａは、スタンバイ状態のみを維持し、第１ボタン１２１１が最初に押されれば第１ＬＥＤソース１２３０及び第２ＬＥＤソース１２４０が動作（例えば、ターンオン）するように変更されもする。
【０１７４】
その場合、第１ボタン１２１１が最初に押されれば、カウンタ１２００−２は、第１値ＣＮＴ０を有するカウント値ＣＮＴＶを生成することができ、カウント値ＣＮＴＶが第１値ＣＮＴ０であるとき、第１ボタン１２１１が押されれば、カウンタ１２００−２は、第２値ＣＮＴ１を有するカウント値ＣＮＴＶを生成することができ、カウント値ＣＮＴＶが第２値ＣＮＴ１であるとき、第１ボタン１２１１が押されれば、カウンタ１２００−２は、第３値ＣＮＴ２を有するカウント値ＣＮＴＶを生成することができる。
【０１７５】
図１８においては、第２ボタン１２１３が押されれば、第１ＬＥＤソース１２３０がデフォルトとして動作（例えば、ターンオン）する実施形態が図示されているが、第２ボタン１２１３が押されれば、電子システム１１００Ｂは、スタンバイ状態のみを維持し、第１ボタン１２１１が最初に押されれば、第１ＬＥＤソース１２３０が動作（例えば、ターンオン）されるように変更されもする。その場合、第１ボタン１２１１が最初に押されれば、カウンタ１２００−２は、第１値ＣＮＴ０を有するカウント値ＣＮＴＶを生成することができる。
【０１７６】
カウント値ＣＮＴＶが第１値ＣＮＴ０であるとき、第１ボタン１２１１が押されれば、カウンタ１２００−２は、第２値ＣＮＴ１を有するカウント値ＣＮＴＶを生成することができ、カウント値ＣＮＴＶが第２値ＣＮＴ１であるとき、第１ボタン１２１１が押されれば、カウンタ１２００−２は、第３値ＣＮＴ２を有するカウント値ＣＮＴＶを生成することができ、カウント値ＣＮＴＶが第３値ＣＮＴ２であるとき、第１ボタン１２１１が押されれば、カウンタ１２００−２は、第４値ＣＮＴ３を有するカウント値ＣＮＴＶを生成することができる。
【０１７７】
図１８及び図１９を参照して説明したように、コントローラ１２００は、第１動作制御信号ＰＷＲに応答してイネーブルされ、第２動作制御信号ＢＴＵが入力されるたびに、第２動作制御信号ＢＴＵの入力回数をカウントしてカウント値を増加させ、第３動作制御信号ＢＴＤが入力されるたびに、第３動作制御信号ＢＴＤの入力回数をカウントし、前記カウント値を減少させ、増加したカウント値、または減少したカウント値に対応する第１制御信号ＣＴＲ１−１，ＣＴＲ１−２及び第２制御信号ＣＴＲ２−１，ＣＴＲ２−２を生成することができる。
【０１７８】
第１スイッチ回路ＳＷ１，ＳＷ２は、第１制御信号ＣＴＲ１−１，ＣＴＲ１−２に応答し、第１ＬＥＤソース１２３０及び第２ＬＥＤソース１２４０のうち作動するＬＥＤソースの個数を調節することができる。第１スイッチ回路ＳＷ１，ＳＷ２は、第１スイッチＳＷ１と第２スイッチＳＷ２とを含む。
【０１７９】
第２スイッチ回路ＳＷ３ないしＳＷ５は、第２制御信号ＣＴＲ２−１，ＣＴＲ２−２に基づいて、振動モータ１２５１，１２５３及び１２５５のうち作動する振動モータの個数を調節することができる。第２スイッチ回路ＳＷ３ないしＳＷ５は、第３スイッチＳＷ３から第５スイッチＳＷ５を含む。
【０１８０】
カウント値ＣＮＴＶが第１カウント値（例えば、ＣＮＴ３）に達した後、第２動作制御信号ＢＴＵが入力されれば、コントローラ１２００は、第１カウント値（例えば、ＣＮＴ３）をそのまま維持する。カウント値ＣＮＴＶが第２カウント値（例えば、ＣＮＴ０）に達した後、第３動作制御信号ＢＴＤが入力されれば、該コントローラは、第２カウント値（例えば、ＣＮＴ０）をそのまま維持し、第１カウント値（例えば、ＣＮＴ３）は、第２カウント値（例えば、ＣＮＴ０）より大きい。
【０１８１】
本発明は、図面に図示された実施形態を参照して説明されたが、それらは、例示的なものに過ぎず、本技術分野の当業者であるならば、それらから多様な変形、及び均等な他の実施形態が可能であるという点を理解するであろう。従って、本発明の真の技術的保護範囲は、特許請求の範囲の技術的思想によって決められるものである。
【産業上の利用可能性】
【０１８２】
本発明は、体脂肪を減少させることができるウェアラブル装置に関する。
【図１】
2019510525.tif 000003
【図２】
2019510525.tif 000004
【図３】
2019510525.tif 000005
【図４】
2019510525.tif 000006
【図５】
2019510525.tif 000007
【図６】
2019510525.tif 000008
【図７】
2019510525.tif 000009
【図８】
2019510525.tif 000010
【図９】
2019510525.tif 000011
【図１０】
2019510525.tif 000012
【図１１】
2019510525.tif 000013
【図１２】
2019510525.tif 000014
【図１３】
2019510525.tif 000015
【図１４】
2019510525.tif 000016
【図１５】
2019510525.tif 000017
【図１６】
2019510525.tif 000018
【図１７】
2019510525.tif 000019
【図１８】
2019510525.tif 000020
【図１９】
2019510525.tif 000021
【国際調査報告】
2019510525.tif 000022
2019510525.tif 000023
2019510525.tif 000024
2019510525.tif 000025